(57)【要約】【課題】ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）を破棄する方法および装置を提供する。【解決手段】ＰＤＣＰレイヤは、タイマをセットし、タイマの満了時にＰＤＣＰ  ＳＤＵを破棄する。このタイマを、上位レイヤからのＰＤＣＰ  ＳＤＵの受取時に、または送信のためにＰＤＣＰ  ＳＤＵを下位レイヤにサブミットする時にセットすることができる。このタイマおよびＲＬＣ（ｒａｄｉｏ  ｌｉｎｋ  ｃｏｎｔｒｏｌ）破棄タイマを、調整することができる。代替案では、ＰＤＣＰレイヤは、ＲＬＣレイヤからの通知に基づいてまたはＰＤＣＰステータスレポートに基づいて、ＰＤＣＰ  ＳＤＵを破棄することができる。【選択図】図９
2014131361.tif 000002
【特許請求の範囲】
【請求項１】
１個若しくは複数個のＰＤＣＰ（ｐａｃｋｅｔ  ｄａｔａ  ｃｏｎｖｅｒｇｅｎｃｅ  ｐｒｏｔｏｃｏｌ）パケット又はＲＬＣ（ｒａｄｉｏ  ｌｉｎｋ  ｃｏｎｔｒｏｌ）パケットを破棄する方法であって、
ＰＤＣＰエンティティが、上位レイヤから、ＰＤＣＰ  ＳＤＵ（ｓｅｒｖｉｃｅ  ｄａｔａ  ｕｎｉｔ）を受信することと、
前記ＰＤＣＰエンティティが、上位レイヤからの前記ＰＤＣＰ  ＳＤＵの受信に応じてＰＤＣＰ破棄タイマーを起動することと、
前記ＰＤＣＰエンティティが、前記ＰＤＣＰ  ＳＤＵを処理して、ＰＤＣＰ  ＰＤＵ（ｐｒｏｔｏｃｏｌ  ｄａｔａ  ｕｎｉｔ）を形成することと、
前記ＰＤＣＰエンティティが、伝送のためにＲＬＣ（ｒａｄｉｏ  ｌｉｎｋ  ｃｏｎｔｒｏｌ）エンティティに、前記ＰＤＣＰ  ＰＤＵを送信することと、
前記ＰＤＣＰエンティティが、前記ＰＤＣＰ破棄タイマーの有効期限が切れたこと、又は、受信するＰＤＣＰエンティティにより前記ＰＤＣＰ  ＳＤＵの受信を確認するＰＤＣＰステータス・リポートの受信に基づいて、前記ＰＤＣＰ  ＳＤＵを破棄することと、
前記ＲＬＣエンティティが、前記ＰＤＣＰエンティティ又は再確立のＲＬＣからのＰＤＣＰの破棄の表示の受信に基づいて、前記ＰＤＣＰ  ＰＤＵに対応するＲＬＣ  ＳＤＵを破棄することと
を含むことを特徴とする方法。
【請求項２】
前記ＰＤＣＰ  ＳＤＵに関連した前記ＰＤＣＰ破棄タイマーの値は、ＰＤＣＰの再確立の手続きの間、保持されることを特徴とする請求項１に記載の方法。
【請求項３】
前記再確立のＲＬＣに基づいて前記ＲＬＣ  ＳＤＵに対応するＲＬＣ  ＰＤＵを破棄する前記ＲＬＣエンティティをさらに備えることを特徴とする請求項１に記載の方法。
【発明の詳細な説明】
【技術分野】
【０００１】
本願は、無線通信に関する。
【背景技術】
【０００２】
３ＧＰＰ（Ｔｈｉｒｄ  ｇｅｎｅｒａｔｉｏｎ  ｐａｒｔｎｅｒｓｈｉｐ  ｐｒｏｊｅｃｔ）は、改善されたスペクトル効率、減らされた待ち時間、より高速のユーザ経験、ならびにより豊かなアプリケーションおよびサービスをより低いコストで提供するために、新しいテクノロジ、新しいネットワークアーキテクチャおよび構成、ならびに新しいアプリケーションおよびサービスを無線セルラネットワークに持ち込むために、ＬＴＥ（ｌｏｎｇ  ｔｅｒｍ  ｅｖｏｌｕｔｉｏｎ）プログラムを開始した。
【０００３】
ＬＴＥアーキテクチャプロトコルは、複数のレイヤを含む。図１は、ＬＴＥアーキテクチャのユーザプレーン（ｕｓｅｒ  ｐｌａｎｅ）プロトコルスタックを示す図である。レイヤ１は、物理レイヤ（ＰＨＹ）を指す。ＰＨＹは、ダウンリンク（ＤＬ）およびアップリンク（ＵＬ）のトランスポーテーションチャネルなどのトランスポーテーションチャネルによって、より上位のレイヤへの情報転送サービスを提供する。レイヤ２は、３つのサブレイヤすなわち、ＭＡＣ（メディアアクセス制御）、ＲＬＣ（Ｒａｄｉｏ  Ｌｉｎｋ  Ｃｏｎｔｒｏｌ）、およびＰＤＣＰ（Ｐａｃｋｅｔ  Ｄａｔａ  Ｃｏｎｖｅｒｇｅｎｃｅ  Ｐｒｏｔｏｃｏｌ）に分割される。ＰＤＣＰサブレイヤの上のレイヤ３には、制御プレーン内のＲＲＣ（Ｒａｄｉｏ  Ｒｅｓｏｕｒｃｅ  Ｃｏｎｔｒｏｌ）レイヤがあり、ユーザプレーン内のネットワークレイヤ（たとえば、ＩＰ（インターネットプロトコル））がある。
【０００４】
ＲＬＣサブレイヤは、３タイプのデータ伝送モードすなわち、ＡＭ（Ａｃｋｎｏｗｌｅｄｇｅ  Ｍｏｄｅ）、ＵＭ（Ｕｎａｃｋｎｏｗｌｅｄｇｅｄ  Ｍｏｄｅ）、およびＴＭ（Ｔｒａｎｓｐａｒｅｎｔ  Ｍｏｄｅ）をサポートする。ＲＬＣサブレイヤは、ＳＤＵ（Ｓｅｒｖｉｃｅ  Ｄａｔａ  Ｕｎｉｔ）およびＰＤＵ（Ｐａｃｋｅｔ  Ｄａｔａ  Ｕｎｉｔ）のセグメント化をもサポートする。ＲＬＣエンティティは、ＲＬＣ  ＳＤＵをそのＲＬＣ  ＳＤＵに対応する１つまたは複数のＲＬＣ  ＰＤＵにセグメント化することができる。用語法ＳＤＵおよびＰＤＵは、レイヤビューに応じて交換可能に使用される。ＳＤＵは、交換されるパケットすなわち、送信デバイス内の上位レイヤから受け取られ、または受信デバイス内の上位レイヤに渡されるパケットである。ＰＤＵは、あるレイヤによって生成され、送信デバイス内の下位レイヤに渡されるパケット、または受信デバイス内の下位レイヤから受け取られるパケットである。したがって、ＰＤＣＰ  ＰＤＵは、ＲＬＣ  ＳＤＵである。同様に、ＲＬＣ  ＰＤＵはＭＡＣ  ＳＤＵである、などである。したがって、あるパケットが「ＰＤＵ」または「ＳＤＵ」のどちらで呼ばれるかの用語法は、検討されているレイヤの観点に依存する。通常、各レイヤは、ヘッダの形で、ＳＤＵデータに情報を追加して、ＰＤＵを生成する。ＲＬＣサブレイヤによって提供される主なサービスおよび機能は、次のとおりである。
【０００５】
１．ＡＭ、ＵＭ、およびＴＭをサポートする上位レイヤＰＤＵの転送。
２．アップリンクでのハンドオーバ時を除く上位レイヤＰＤＵのインシーケンス送達。
３．重複検出。
４．パディングの必要がない、動的ＰＤＵサイズのセグメント化。
５．再送信される必要があるＰＤＵの再セグメント化。
６．誤り訂正。
７．プロトコルエラーの検出および回復
８．リセット
９．ＳＤＵ破棄。
【０００６】
ＰＤＣＰサブレイヤは、ユーザプレーン（Ｕプレーン）パケットデータおよび制御プレーン（Ｃプレーン）ＲＲＣメッセージについて、サービスアクセスポイント（ＳＡＰ）を介してＰＤＣＰ  ＳＤＵ（Ｓｅｒｖｉｃｅ  ｄａｔａ  Ｕｎｉｔ）サービスを提供する。ＰＤＣＰは、次のＰＤＣＰ機能またはＰＤＣＰプロシージャの責任を負う。
【０００７】
１．ＲＯＨＣ（ｒｏｂｕｓｔ  ｈｅａｄｅｒ  ｃｏｍｐｒｅｓｓｉｏｎ）のみを有するヘッダの圧縮および圧縮解除、
２．ユーザデータの転送  −  ユーザデータの送信は、ＰＤＣＰが上位レイヤ（たとえば、ネットワークまたはＩＰレイヤ）からＰＤＣＰ  ＳＤＵ（ｓｅｒｖｉｃｅ  ｄａｔａ  ｕｎｉｔ）を受け取り、これをＲＬＣレイヤに転送することを意味し、逆も同様である、
３．少なくともｅＮＢ（ｅｖｏｌｖｅｄ  Ｎｏｄｅ−Ｂ）間モビリティ中のダウンリンクＲＬＣ  ＳＤＵのリオーダリング、
４．アップリンクでのハンドオーバ（ＨＯ）時の上位レイヤＰＤＵ（ｐａｃｋｅｔ  ｄａｔａ  ｕｎｉｔ）のインシーケンス送達、
５．下位レイヤＳＤＵの重複検出、ならびに
６．ユーザプレーンデータおよび制御プレーンデータの暗号化（ＮＡＳシグナリング）。
【０００８】
送信ＰＤＣＰエンティティは、次のＰＤＣＰプロシージャまたはＰＤＣＰ機能を実行する。
【０００９】
１．ＲＢ（ｒａｄｉｏ  ｂｅａｒｅｒ）ごとの基礎でシーケンス番号（ＳＮ）を上位レイヤＰＤＵ（すなわち、ＰＤＣＰ  ＳＤＵ）に割り当てる。ＲＯＨＣフィードバックパケットなどのＰＤＣＰサブレイヤ内で内部的に生成されるパケットは、ＳＮを割り当てられない。ＳＮは、ハンドオーバ中に継続される（すなわち、ＳＮは、ｅＮＢの間で転送される（構成されている場合に））。
２．ＲＯＨＣヘッダ圧縮を実行する。ユーザプレーントラフィックのみに関して。ＲＯＨＣ−ＴＣＰおよびＲＯＨＣ  ＲＴＰ（ｒｅａｌ  ｔｉｍｅ  ｐｒｏｔｏｃｏｌ）／ＵＤＰ（ユーザデータグラムプロトコル）／ＩＰ（インターネットプロトコル）がサポートされる。
３．保全性保護を実行する。制御プレーントラフィックのみに関して。ＰＤＣＰサブレイヤによって割り当てられたＳＤＵ  ＳＮを利用する。保全性保護は、暗号化の前または後に実行することができる。ＲＯＨＣフィードバックパケットなどのＰＤＣＰサブレイヤ内で内部的に生成されるパケットは、保全性保護されない。
４．暗号化を実行する。ＰＤＣＰサブレイヤによって割り当てられたＳＤＵ  ＳＮを利用する。ＲＯＨＣフィードバックパケットなどのＰＤＣＰサブレイヤ内で内部的に生成されるパケットは、暗号化されない。
５．ＰＤＣＰヘッダをアタッチし、ＰＤＣＰ  ＰＤＵを下のＲＬＣエンティティに送る。
【００１０】
ＰＤＣＰ  ＰＤＵが受信される時に、受信ＰＤＣＰエンティティは、次のＰＤＣＰプロシージャまたはＰＤＣＰ機能を実行する。
【００１１】
１．ＰＤＵが制御またはデータのどちらであるかをチェックし、正しい機能に転送する。たとえば、ＲＯＨＣフィードバックパケットは、ＲＯＨＣ機能に送られる。
２．暗号化解除を実行する。ＰＤＣＰサブレイヤによって割り当てられたＳＤＵ  ＳＮを、順序はずれ受信を処理できる「ＨＦＮ（ｈｙｐｅｒ  ｆｒａｍｅ  ｎｕｍｂｅｒ）送達機能」を使用して計算されるＨＦＮと一緒に利用する。
３．保全性についてチェックする。制御プレーントラフィックのみに関して。保全性チェックは、暗号化の前または後に実行することができる。
４．ＲＯＨＣヘッダ圧縮解除を実行する。ユーザプレーントラフィックのみに関して。
５．ＰＤＣＰサブレイヤによって割り当てられたＳＤＵ  ＳＮを利用することによって重複検出を実行する。
６．リオーダリングを実行する。ＰＤＣＰサブレイヤによって割り当てられたＳＤＵ  ＳＮを利用する。
７．ＰＤＣＰ  ＳＤＵをインシーケンスで上位レイヤに送達する。
【００１２】
ＰＤＣＰサブレイヤは、ＲＬＣサブレイヤとｅＮＢとの間でデータを転送する。ｅＮＢ間ハンドオーバ中に、ソースｅＮＢは、すべてのダウンリンクＰＤＣＰ  ＳＤＵをＷＴＲＵ（無線送受信ユニット）によって肯定応答されていないそのＳＮと共にターゲットｅＮＢに転送する。ターゲットｅＮＢは、ソースｅＮＢによって転送されたすべてのダウンリンクＰＤＣＰ  ＳＤＵを再送信し、優先順位を付ける。
【００１３】
ｅＮＢ間ハンドオーバ中に、ソースｅＮＢは、成功してインシーケンスで受信されたアップリンクＰＤＣＰ  ＳＤＵをもＳＡＥ（ｓｙｓｔｅｍ  ａｒｃｈｉｔｅｃｔｕｒｅ  ｅｖｏｌｕｔｉｏｎ）サービングゲートウェイに転送し、アウトオブシーケンスで受信されたアップリンクＰＤＣＰ  ＳＤＵをそのＳＮと共にターゲットｅＮＢに転送する。ＷＴＲＵは、ソースｅＮＢによって成功しては受信されなかったアップリンクＰＤＣＰ  ＳＤＵを再送信する。
【００１４】
ＰＤＣＰサブレイヤは、すべての受信されないＳＤＵを（再）送信できるように（たとえば、ハンドオーバ状況中に）ＰＤＣＰ  ＳＤＵをバッファリングする。アップリンクでは、ＷＴＲＵ内の送信ＰＤＣＰエンティティは、たとえばターゲットｅＮＢから受信されるＰＤＣＰステータスレポートによって肯定応答されなかったＳＤＵを再送信する。ダウンリンクでは、ソースｅＮＢ内の送信ＰＤＣＰエンティティは、肯定応答されなかったＳＤＵをターゲットｅＮＢに転送し、ターゲットｅＮＢは、たとえばＷＴＲＵから受信されるＰＤＣＰステータスレポートによって肯定応答されなかったＳＤＵを（再）送信する。
【００１５】
ＰＤＣＰステータスレポート。ＰＤＣＰステータスレポートは、ハンドオーバ時に欠けているまたは肯定応答されたＰＤＣＰ  ＳＤＵ（またはＰＤＵ）に関する情報を伝えるのに使用される。ステータスレポートは、受信ＰＤＣＰエンティティから送信ＰＤＣＰエンティティに送信される。ＰＤＣＰステータスレポートの目的は、ハンドオーバなどのイベント時にどのＰＤＣＰ  ＳＤＵ（またはＰＤＵ）を再送信する必要があるのかを識別することである。
【００１６】
プリミティブは、デバイス内のレイヤの間で交換されるシグナルまたは表示である。ＰＤＣＰと上位レイヤとの間のプリミティブ。ＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ）の諸リリース（Ｒｅｌｅａｓｅ  ６まで）では、ＰＤＣＰ−ＤＡＴＡプリミティブは、２つのプリミティブだけを許容し、これは、ＰＣＤＰ−ＤＡＴＡ−ＲｅｑおよびＰＤＣＰ−ＤＡＴＡ−Ｉｎｄである。この２つのプリミティブの機能は、次のとおりである。
【００１７】
ＰＤＣＰ−ＤＡＴＡ−Ｒｅｑは、上位レイヤＰＤＵの送信を要求するために上位ユーザプレーンプロトコルレイヤによって使用される。
【００１８】
ＰＤＣＰ−ＤＡＴＡ−Ｉｎｄは、受信されたＰＤＣＰ  ＳＤＵを上位ユーザプレーンプロトコルレイヤに送達するのに使用される。
【００１９】
ＲＬＣサブレイヤは、それ自体の送信バッファ（すなわち、ＲＬＣ送信エンティティ内に）をも有する。これは、レイヤ２に、一方はＰＤＣＰサブレイヤ、他方はＲＬＣサブレイヤに、少なくとも２つの送信バッファがあることを意味する。ＲＬＣ  ＳＤＵ破棄は、ＳＤＵ破棄を開始するトリガがＳＤＵ破棄タイマ満了を含むことを指定する標準規格で指定された機能の１つである。
【００２０】
ＰＤＣＰサブレイヤは、ＰＤＣＰ  ＳＤＵを再送信できるようになるために（たとえば、ハンドオーバシナリオ中に）、ＰＤＣＰ  ＳＤＵをバッファリングするので、これは、送信ＰＤＣＰエンティティでのバッファの必要を要する。このバッファは、未処理のＰＤＣＰ  ＳＤＵを格納するのに使用することができ、または、部分的に処理されたＰＤＣＰ  ＳＤＵ（たとえば、シーケンス番号付け、ヘッダ圧縮、暗号化、保全性保護というプロセス／機能のうちの１つまたは複数を適用した後）を格納できる。
【発明の概要】
【発明が解決しようとする課題】
【００２１】
送信ＰＤＣＰエンティティでのＰＤＣＰ  ＳＤＵのバッファリングは、送信ＰＤＣＰバッファからのＰＤＣＰ  ＳＤＵの破棄（すなわち、ＰＤＣＰバッファからＳＤＵを空にすること）につながるトリガ／イベントの判定などの新しい課題を導入する。ＰＤＣＰ送信バッファオーバーフローを回避する必要もある。さらに、データのスケジューリングに長い遅延がある時など、いくつかの場合に、いくつかのＰＤＣＰ  ＳＤＵが、その待ち時間が既にそのＱｏＳ（サービス品質）プロファイルによって許容される最大値を超えているので、送信には古いか役に立たなくなる可能性がある。
【００２２】
さらに、送信ＲＬＣエンティティは、それ自体のバッファを有し、タイマベースのＳＤＵ破棄を実施するので、総合的な送信レイヤ２エンティティを、ＰＤＣＰとＲＬＣとの間の破棄動作を最適化／調整することと、ＲＬＣリセットプロシージャまたはＲＬＣ再確立プロシージャを機能強化することとによって、最適化することができる。したがって、高度な高速無線通信デバイスに適用可能であり、ＰＤＣＰサブレイヤとＲＬＣサブレイヤとの両方を対象とする改善されたデータ破棄プロシージャが、非常に望ましい。
【課題を解決するための手段】
【００２３】
本願は、ＰＤＣＰサブレイヤ内のＳＤＵ／ＰＤＵ破棄機能およびＰＤＣＰ破棄機能とＲＬＣ破棄機能との間の調整または通信の技法を開示する。送信ＰＤＣＰエンティティは、（１）ＳＤＵ／ＰＤＵ破棄タイマの満了（または、あるタイムインターバルの経過）、（２）下にあるＲＬＣサブレイヤからの通知の受取、および（３）ピアＰＤＣＰエンティティからのＰＤＣＰステータスレポートの受信というイベントまたはトリガのうちの１つまたは複数に基づいてＰＤＣＰ  ＳＤＵ破棄動作を開始する。ＲＬＣレイヤは、ＰＤＣＰレイヤからの通知に基づいて、対応するＲＬＣ  ＳＤＵを破棄することができる。
【００２４】
本発明のより詳細な理解は、例として与えられ、添付図面に関連して理解されるべき、好ましい実施形態の次の説明から得ることができる。
【図面の簡単な説明】
【００２５】
【図１】レイヤ２サブレイヤであるＰＤＣＰ（ｐａｃｋｅｔ  ｄａｔａ  ｃｏｎｖｅｒｇｅｎｃｅ  ｐｒｏｔｏｃｏｌ）、ＲＬＣ（ｒａｄｉｏ  ｌｉｎｋ  ｃｏｎｔｒｏｌ）、およびＭＡＣ（メディアアクセス制御）を含むＬＴＥアーキテクチャのユーザプレーンプロトコルスタックを示す図である。
【図２】ＰＤＣ  ＳＤＵおおびＰＤＣＰヘッダを含むＰＤＣＰ  ＰＤＵ構造を示す図である。ＰＤＣＰヘッダが、１バイトまたは２バイトのいずれかの長さになり得ると予想される。
【図３】ＰＤＣＰ動作を示す図である。
【図４】送信デバイスのＬＴＥレイヤ２プロトコルスタックのいくつかの主要な機能を示す図である。
【図５】バッファリングの前にＰＤＣＰシーケンス番号（ＳＮ）をＳＤＵに割り当てるように構成された送信ＰＤＣＰエンティティを示す図である。
【図６】バッファリングの後にＰＤＣＰ  ＳＮをＳＤＵに割り当てるように構成された送信ＰＤＣＰエンティティを示す図である。
【図７】無線通信システムを示す図である。
【図８】ＷＴＲＵおよびｅＮＢ（Ｅ−ＵＴＲＡＮ  Ｎｏｄｅ−Ｂ）を示す機能ブロック図である。
【図９】破棄プロシージャを示す流れ図である。
【図１０】もう１つの例の破棄プロシージャを示す流れ図である。
【図１１】ＰＤＣＰ  ＳＤＵ／ＰＤＵ破棄プロシージャを示す流れ図である。
【発明を実施するための形態】
【００２６】
後で言及される時に、用語法「ＷＴＲＵ（無線送受信ユニット）」は、ＵＥ、移動局、固定のまたは可動の加入者ユニット、ポケットベル、セル電話機、ＰＤＡ（携帯情報端末）、コンピュータ、または無線環境で動作できる任意の他のタイプのユーザデバイスを含む。後で言及される時に、用語法「ｅＮＢ」は、Ｎｏｄｅ−Ｂ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）Ｎｏｄｅ−Ｂ、Ｅ−ＵＴＲＡＮ  Ｎｏｄｅ−Ｂ、ｅｖｏｌｖｅｄ  Ｎｏｄｅ−Ｂ、基地局、サイトコントローラ、ＡＰ（アクセスポイント）または無線環境で動作できる任意の他のタイプのインターフェースデバイスを含む。後で言及される時に、用語ＰＤＣＰは、ＰＤＣＰエンティティ、ＰＤＣＰレイヤ、ＰＤＣＰサブレイヤ、またはＰＤＣＰ機能／プロトコルのいずれをも指す。後で言及される時に、用語サブレイヤおよびレイヤは、交換可能に使用され得る。後で言及される時に、用語パケットＡに対応する用語パケットＢは、パケットＡに対してプロシージャ（１つまたは複数）または機能（１つまたは複数）またはアクション（１つまたは複数）を実行した結果として作成されたパケットＢを指す。後で言及される時に、用語ＳＤＵ／ＰＤＵは、「ＳＤＵおよび／またはそれに対応するＰＤＵ」を指す。後で言及される時に、用語複数のＳＤＵ／ＰＤＵは、「複数のＳＤＵおよび／またはそれに対応する複数のＰＤＵ」を指す。後で言及される時に、用語パケットは、ＰＤＣＰパケットまたはＲＬＣパケットを指すことができる。後で言及される時に、用語ＰＤＣＰパケットは、「ＰＤＣＰ  ＳＤＵおよび／またはそれに対応するＰＤＵ」を指す。後で言及される時に、用語ＲＬＣパケットは、「ＲＬＣ  ＳＤＵおよび／またはそれに対応するＰＤＵ（１つまたは複数）」を指す。後で言及される時に、用語基準イベント（ｒｅｆｅｒｅｎｃｅ  ｅｖｅｎｔ）は、通常はパケットに関連し、ＰＤＣＰプロシージャまたは機能またはアクションの開始または完了または進行などのプロシージャまたは機能またはアクションの開始または完了または進行に結び付けられたイベントを指す。後で言及される時に、用語タイマをセットすることは、タイマの初期化および開始を指す。後で言及される時に、用語肯定応答（ＡＣＫ）は、肯定の肯定応答と交換可能であり、用語否定応答（ＮＡＣＫ）は、否定の肯定応答と交換可能である。
【００２７】
本願は、ＰＤＣＰサブレイヤ内の、ＰＤＣＰ破棄機能とＲＬＣ破棄機能との間の調整または通信のためのＳＤＵ／ＰＤＵ破棄機能を開示する。本明細書で論じられる破棄動作は、破棄するエンティティが、破棄すべきパケット（ＰＤＣＰ  ＳＤＵ／ＰＤＵまたはＲＬＣ  ＳＤＵ／ＰＤＵ）を以前に受信している場合に発生する。代替案では、破棄するエンティティは、それが破棄すべきパケットを以前に受信したか否かにかかわりなく、当該のパケットの破棄を試みることができる。
【００２８】
一実施形態によれば、送信ＰＤＣＰエンティティは、（１）ＳＤＵ／ＰＤＵ破棄タイマの満了（または、あるタイムインターバルの経過）、（２）下にあるＲＬＣサブレイヤからの通知の受取、および（３）ピアＰＤＣＰエンティティからのＰＤＣＰステータスレポートの受信というイベントまたはトリガのうちの１つまたは複数に基づいてＰＤＣＰ  ＳＤＵ破棄動作を開始する。
【００２９】
経過時間（タイムインターバル）は、上位レイヤからのＳＤＵの受取（変形１）または下位レイヤへのＳＤＵ／ＰＤＵのサブミット（変形２）などの基準イベントの発生の時から測定される。基準イベントの他の変形は、バッファへのパケットの格納、バッファからのパケットの除去、またはパケットに対するあるＰＤＣＰプロシージャもしくは機能もしくはアクションの実行を含む。パケットは、ある（事前に構成された）時間しきい値が経過した場合に破棄される。
【００３０】
タイマベースの破棄動作を実施する代替の形を説明する。
【００３１】
送信ＰＤＣＰエンティティは、上位レイヤからＳＤＵを受け取る時（たとえば、ＰＣＤＰ  ＳＤＵをＰＤＣＰ送信バッファに挿入する時）に破棄タイマ（ＤＴＰ１）を初期化することができる。
【００３２】
代替案では、送信ＰＤＣＰエンティティは、送信のために下位レイヤに（たとえば、ＲＬＣに）ＳＤＵ／ＰＤＵをサブミットする時に、破棄タイマを初期化することができる。代替実施形態では、送信ＰＤＣＰエンティティは、１つが上の２つの変形のそれぞれに対応する、２つのＳＤＵ破棄タイマ（ＤＴＰ１およびＤＴＰ２）を有することができる。
【００３３】
以下では、表記ＤＴＰを、ＰＤＣＰのこの２つの破棄タイマ、ＤＴＰ１およびＤＴＰ２の一方または両方のいずれかを全般的に指すのに使用する。
【００３４】
新しいＰＤＣＰ破棄機能は、次のように要約される。
【００３５】
オプション１  送信ＰＤＣＰエンティティでは、新しい破棄タイマ（ＤＴＰ１）が、上位レイヤからのＰＤＣＰ  ＳＤＵの受取時に開始される。破棄タイマ（ＤＴＰ１）が満了する時に、送信ＰＤＣＰエンティティは、関連するＳＤＵ／ＰＤＵ（または、複数のＳＤＵ／ＰＤＵが同一のタイマに関連する場合には複数のＳＤＵ／ＰＤＵ）を破棄する。
【００３６】
ＤＴＰ１は、時間単位の増分カウンタ（増分タイマ）の使用を介して実施することができ、たとえば、増分タイマは、０に初期化され、ある（事前に構成された）時間しきい値以上である時に満了する。その代わりに、ＤＴＰ１を、時間単位の減分カウンタ（減分タイマ）の使用を介して実施することができ、たとえば、減分タイマは、ある（事前に構成された）時間しきい値に初期化され、０以下である時に満了する。
【００３７】
代替案では、ＤＴＰ１を、タイムスタンプの使用を介して実施することができる。タイムスタンプは、上位レイヤからのＰＤＣＰ  ＳＤＵ／ＰＤＵの受取時に作成され、そのＰＤＣＰ  ＳＤＵ／ＰＤＵに関連付けられる。タイムスタンプは、上位レイヤからの受取の時刻を記録し、または格納する（含む）。現在時刻とＰＤＣＰ  ＳＤＵのタイムスタンプとの間の差が、ある（事前に構成された）時間しきい値に達するかこれを超える場合には、送信ＰＤＣＰエンティティは、関連するＳＤＵ／ＰＤＵ（または、複数のＳＤＵ／ＰＤＵが同一のタイムスタンプに関連する場合には複数のＳＤＵ／ＰＤＵ）を破棄する。
【００３８】
オプション２  送信ＰＤＣＰエンティティでは、新しい破棄タイマ（ＤＴＰ２）が、送信のために下位レイヤに（すなわち、ＲＬＣに）ＰＤＣＰ  ＳＤＵ／ＰＤＵを送出する時に開始される。破棄タイマ（ＤＴＰ２）が満了する時に、送信ＰＤＣＰエンティティは、関連するＳＤＵ／ＰＤＵ（または、複数のＳＤＵ／ＰＤＵが同一のタイマに関連する場合には複数のＳＤＵ／ＰＤＵ）を破棄する。
【００３９】
ＤＴＰ２は、時間単位の増分カウンタ（増分タイマ）の使用を介して実施することができ、たとえば、増分タイマは、０に初期化され、ある（事前に構成された）時間しきい値以上である時に満了する。その代わりに、ＤＴＰ２を、時間単位の減分カウンタ（減分タイマ）の使用を介して実施することができ、たとえば、減分タイマは、ある（事前に構成された）時間しきい値に初期化され、０以下である時に満了する。
【００４０】
代替案では、ＤＴＰ２を、タイムスタンプの使用を介して実施することができる。タイムスタンプは、送信のために下位レイヤに（すなわち、ＲＬＣに）ＰＤＣＰ  ＳＤＵ／ＰＤＵを送出する時に作成され、そのＰＤＣＰ  ＳＤＵ／ＰＤＵに関連付けられる。タイムスタンプは、下位レイヤへの送出の時刻を記録し、または格納する。現在時刻とＰＤＣＰ  ＳＤＵのタイムスタンプとの間の差が、ある（事前に構成された）時間しきい値に達するかこれを超える場合には、送信ＰＤＣＰエンティティは、関連するＳＤＵ／ＰＤＵ（または、複数のＳＤＵ／ＰＤＵが同一のタイムスタンプに関連する場合には複数のＳＤＵ／ＰＤＵ）を破棄する。
【００４１】
送信ＰＤＣＰエンティティは、それが受け取るすべてのＳＤＵについて別々の破棄タイマを開始することができる（すなわち、タイマの形またはタイムスタンプの形の、経過時間のパケットごとの測定値がある）。
【００４２】
たとえば、図１１の１１１０で、送信ＰＤＣＰエンティティは、上位レイヤからのＰＤＣＰ  ＳＤＵの受取以降のタイムインターバルを測定する。１１２０で、送信ＰＤＣＰエンティティは、あるタイムインターバルが経過したかどうかを判定する。そうである場合には、１１３０で、送信ＰＤＣＰエンティティは、関連するＳＤＵ／ＰＤＵを破棄する。
【００４３】
破棄タイマＤＴＰは、他のレイヤ（たとえば、ＲＲＣ（Ｒａｄｉｏ  ｒｅｓｏｕｒｃｅ  Ｃｏｎｔｒｏｌレイヤ））によって構成される。たとえば、ＲＢ（Ｒａｄｉｏ  Ｂｅａｒｅｒ）構成パラメータの一部として、ＰＤＣＰ  ＳＤＵ破棄タイマの値（しきい値）を、ＲＢごとの基礎で指定することができる。たとえばハンドオーバシナリオ中にＤＴＰ値を増やすことを介して、ＤＴＰの値を適合させることを可能とすることもできる。
【００４４】
送信ＲＬＣエンティティは、それ自体のタイマベースの破棄動作を有することができる。そうである場合には、ＬＴＥ  ＲＬＣが、上位レイヤから（すなわち、ＰＤＣＰから）ＲＬＣ  ＳＤＵ（すなわち、ＰＤＣＰ  ＰＤＵ）を受け取る時にそれ自体の破棄タイマを開始する。ＲＬＣ破棄タイマを、ＤＴＲと称する。ＤＴＲが満了する時に、送信ＲＬＣエンティティは、関連するＳＤＵ／ＰＤＵ（または、複数のＳＤＵ／ＰＤＵが同一のタイマに関連する場合には複数のＳＤＵ／ＰＤＵ）を破棄する。
【００４５】
ＤＴＲは、時間単位の増分カウンタ（増分タイマ）の使用を介して実施することができ、たとえば、増分タイマは、０に初期化され、ある（事前に構成された）時間しきい値以上である時に満了する。その代わりに、ＤＴＲを、時間単位の減分カウンタ（減分タイマ）の使用を介して実施することができ、たとえば、減分タイマは、ある（事前に構成された）時間しきい値に初期化され、０以下である時に満了する。
【００４６】
代替案では、ＤＴＲを、タイムスタンプの使用を介して実施することができる。タイムスタンプは、上位レイヤからのＲＬＣ  ＳＤＵの受取時に作成され、そのＲＬＣ  ＳＤＵに関連付けられる。タイムスタンプは、上位レイヤからの受取の時刻を記録し、または格納する。現在時刻とＲＬＣ  ＳＤＵのタイムスタンプとの間の差が、ある（事前に構成された）時間しきい値に達するかこれを超える場合には、送信ＲＬＣエンティティは、関連するＳＤＵ（または、複数のＳＤＵが同一のタイムスタンプに関連する場合には複数のＳＤＵ）を破棄する。
【００４７】
ＰＤＣＰ破棄タイマおよびＲＬＣ破棄タイマの値の調整を、本明細書で開示する。所与のパケット（すなわち、ＳＤＵ／ＰＤＵ）は、必ず、送信ＰＤＣＰエンティティのバッファ内である時間を過ごす。総合的なレイヤ２送信機ＳＤＵ破棄動作を改善／最適化し、ＱｏＳをも改善するために、ＲＬＣタイマベース破棄機能性は、パケットがＰＤＣＰレイヤ内で過ごす時間を考慮に入れる。
【００４８】
独立のＰＤＣＰ  ＳＤＵ破棄タイマおよびＲＬＣ  ＳＤＵ破棄タイマを有することが可能ではあるが、総合的な効率は、破棄タイマの総合的な値がＰＤＣＰおよびＲＬＣの間で共有される場合に、さらに高めることができる。たとえば、あるＲＢのＱｏＳプロファイルが、パケットがＰＤＣＰ送信バッファおよび／またはＲＬＣ送信バッファ内で過ごす総時間がＺを超えないように、パケットがＺ時間単位を超えて遅延されない（Ｚ（しきい値）は、たとえばＲＲＣシグナリングを介する、ネットワークオペレータによって構成される時間単位の数である）ことと、パケットがＰＤＣＰ送信バッファおよび／またはＲＬＣ送信バッファ内で過ごす総時間がＺに達するかこれを超える場合にパケットが正しく破棄されることとを要求する場合である。次の例は、上の手順を示し、図９の流れ図として示されてもいる。
【００４９】
９１０では、送信ＰＤＣＰエンティティで、新しい破棄タイマ（たとえば、ＤＴＰ１）が、上位レイヤからのＰＤＣＰ  ＳＤＵの受取時に開始され、これによって、ＤＴＰ１は、値Ｚ時間単位を用いて初期化される（ＤＴＰ１について減分タイマ実施態様を仮定する）。９２０で、Ｘ時間単位の後に（Ｘは、ＳＤＵ／ＰＤＵが、ＲＬＣにサブミットされる前にＰＤＣＰエンティティ内で過ごした時間の長さである）、送信ＰＤＣＰエンティティは、送信のために下位レイヤ（すなわち、ＲＬＣ）にＰＤＣＰ  ＳＤＵ／ＰＤＵをサブミットする／送る。送信ＰＤＣＰエンティティは、サブミットされるＰＤＣＰ  ＰＤＵ（すなわち、ＲＬＣ  ＳＤＵ）と一緒に、残りの総タイマ値（すなわち、たとえば減分タイマ実施態様の場合に、Ｚ−Ｘ）またはＰＤＣＰエンティティ内で過ごした時間（すなわち、たとえば増分タイマ実施態様の場合に、Ｘ）の表示を提供することができる。そのような表示は、ＲＬＣプリミティブＲＬＣ−ｙｙ−Ｄａｔａ−Ｒｅｑ（これは、ＲＬＣ  ＳＤＵの送信を要求するのに、上位レイヤ、たとえばＰＤＣＰによって使用される）用の新しいパラメータなど、プリミティブ用の新しいパラメータを介してシグナリングすることができる。
【００５０】
送信ＲＬＣエンティティでは、破棄タイマ（ＤＴＲ）が、上位レイヤからＲＬＣ  ＳＤＵ（すなわち、ＰＤＣＰ  ＰＤＵ）を受け取る時に開始される。ＤＴＲは、ＰＤＣＰから示され／シグナリングされる値、たとえば、ＤＴＲが減分タイマの場合にはＺ−Ｘ時間単位、ＤＴＲが増分タイマの場合にはＸ時間単位を用いて初期化される。
【００５１】
ＲＬＣ−ｙｙ−Ｄａｔａ−Ｒｅｑは、ＲＬＣ−ＡＭ−Ｄａｔａ−Ｒｅｑプリミティブ、ＲＬＣ−ＵＭ−Ｄａｔａ−Ｒｅｑプリミティブ、ＲＬＣ−ＴＭ−Ｄａｔａ−Ｒｅｑプリミティブ、または任意の他のタイプのプリミティブもしくはシグナルもしくは表示のいずれかとすることができる。９３０で、破棄タイマ（ＤＴＰ１またはＤＴＲ）が満了する時に、９４０で、送信エンティティ（ＰＤＣＰまたはＲＬＣ）は、関連するＳＤＵ／ＰＤＵ（または、複数のＳＤＵが同一のタイマに関連する場合には複数のＳＤＵ／ＰＤＵ）を破棄する。
【００５２】
したがって、この実施形態では、送信モード（たとえば、アップリンクトラフィックの場合にはＷＴＲＵ、ダウンリンクトラフィックの場合にはｅＮＢ）のＰＤＣＰとＲＬＣとの間の通信／シグナリングに使用されるプリミティブまたはシグナルまたは表示は、たとえばＰＤＣＰがＲＬＣ  ＳＤＵ破棄動作によって使用されなければならないタイマ値を通信し／示すことを可能にする、新しいパラメータの追加によって機能強化される。
【００５３】
ＰＤＣＰ破棄とＲＬＣ破棄との間の以前の動作および調整を、タイムスタンプの使用を介して実施することができる。タイムスタンプは、上位レイヤからＰＤＣＰ  ＳＤＵを受け取る時に作成され、そのＰＤＣＰ  ＳＤＵに関連付けられる。タイムスタンプは、上位レイヤからの受取の時刻を記録し、または格納する。送信ＰＤＣＰエンティティは、送信のために下位レイヤに（すなわち、ＲＬＣに）ＰＤＣＰ  ＳＤＵ／ＰＤＵをサブミットする／送る。送信ＰＤＣＰエンティティは、サブミットされるＰＤＣＰ  ＰＤＵ（すなわち、ＲＬＣ  ＳＤＵ）と一緒に、タイムスタンプの値を提供することができる。送信ＲＬＣエンティティでは、タイムスタンプは、現在時刻に対してチェックされる。現在時刻とＰＤＣＰ  ＰＤＵまたはＲＬＣ  ＳＤＵのタイムスタンプとの間の差が、ある（事前に構成された）時間しきい値に達するかこれを超える場合には、送信ＲＬＣエンティティは、関連するＳＤＵ／ＰＤＵ（または、複数のＳＤＵ／ＰＤＵが同一のタイムスタンプに関連する場合には複数のＳＤＵ／ＰＤＵ）を破棄する。
【００５４】
もう１つの代替実施形態では、総合的なレイヤ２タイマベースＳＤＵ破棄機能が実施され、ここで、単一のタイマが使用され、このタイマは、オプションで、ＰＤＣＰレイヤまたはＰＤＣＰエンティティ内に配置される（すなわち、ＲＬＣ  ＳＤＵ破棄タイマを不要とすることができる）。
【００５５】
ＰＤＣＰレイヤまたはＰＤＣＰエンティティは、パケットを破棄する（たとえば、タイマの満了時に）と判断した後に、ＰＤＣＰによって破棄されるパケットの表示／識別をＲＬＣレイヤまたはＲＬＣエンティティに（たとえば、プリミティブを介して）通信／シグナリングする。そのような表示を受け取る時に、送信ＲＬＣエンティティも、プリミティブで識別されるＳＤＵを破棄する。
【００５６】
この特定の機構について、送信ＰＤＣＰエンティティは、ＰＤＣＰ送信エンティティの破棄判断および破棄されるパケット情報について送信ＲＬＣエンティティに通知し、この機構は、それでも、送信ＲＬＣエンティティ内にＲＬＣ  ＳＤＵ破棄タイマがある場合であっても適用可能である（すなわち、この２つは共存することができる）。この機構は、それでも、ＰＤＣＰ破棄判断が、タイマベースのＰＤＣＰ  ＳＤＵ破棄以外の判断基準（イベント／トリガ）に基づくときに適用可能とすることができる。
【００５７】
この実施形態は、図１０で、次のように要約される。
【００５８】
１０１０で、送信ＰＤＣＰエンティティは、トリガイベント（たとえば、タイマベースのＳＤＵ／ＰＤＵ破棄、またはＰＤＣＰ  ＳＤＵ／ＰＤＵを肯定応答するピアＰＤＣＰエンティティからのＰＤＣＰステータスレポートの受信）に基づいてパケット（ＰＤＣＰ  ＳＤＵ／ＰＤＵ）を破棄するかどうかを判定する。
【００５９】
１０２０で、送信ＰＤＣＰエンティティは、パケットを破棄する。
【００６０】
１０３０で、送信ＰＤＣＰエンティティは、シグナル（たとえば、プリミティブおよびそのパラメータ）を介して下位レイヤ（すなわち、破棄判断および破棄されるパケットについて送信ＲＬＣエンティティ）に通知する。
【００６１】
１０４０で、シグナル（たとえば、プリミティブおよびそのパラメータ）を受け取る時に、送信ＲＬＣエンティティは、識別されたパケット（すなわち、ＲＬＣ  ＳＤＵおよび／またはそれに関連するＲＬＣ  ＰＤＵ）を破棄する。
【００６２】
ＲＬＣが、他の破棄トリガ（たとえば、ＲＬＣ  ＡＲＱステータスレポートに基づく、およびＡＲＱ再送信の最大回数に達するなど）を有することが可能である。タイマベースの破棄を、ＲＬＣから除去することができ、新しいタイマベースの破棄機構が、総合的なレイヤ２動作を最適化し、単純化するために、ＰＤＣＰ内に導入／開始される。
【００６３】
もう１つの実施形態では、ＰＤＣＰ破棄タイマおよび／またはＲＬＣ破棄タイマの値の通信または保存が、ＷＴＲＵがターゲットｅＮＢへ移動する時またはＰＤＣＰエンティティが再確立される時のデフォルト値からのタイマの再初期化の代わりに提供される。これは、ＱｏＳ（サービス品質）を高め、将来の無線システムでのより正確で頑健な破棄タイマ動作をも提供する。
【００６４】
ダウンリンク送信の場合に、ｅＮＢ間ハンドオーバ中に、ソースｅＮＢからターゲットｅＮＢへのデータ転送が行われる。これを、次の変形のいずれかで実施することができる。
【００６５】
ソースｅＮＢは、転送されたＰＤＣＰ  ＳＤＵと一緒に、ＰＤＣＰ  ＳＤＵ破棄タイマ（たとえば、ＤＴＰ）の現在の（たとえば、残りのまたは近似の）値をターゲットｅＮＢに送信することができる。
【００６６】
代替案では、ソースｅＮＢは、転送されたＰＤＣＰ  ＳＤＵと一緒に、ＲＬＣ  ＳＤＵ破棄タイマ（たとえば、ＤＴＲ）の現在の（たとえば、残りのまたは近似の）値をターゲットｅＮＢに送信することができる。
【００６７】
代替案では、ソースｅＮＢは、転送されたＰＤＣＰ  ＳＤＵと一緒に、ＲＬＣ  ＳＤＵ破棄タイマ（たとえば、ＤＴＲ）またはＰＤＣＰ  ＳＤＵ破棄タイマ（たとえば、ＤＴＰ）の現在の（たとえば、残りのまたは近似の）値のうちで小さい方をターゲットｅＮＢに送信することができる。
【００６８】
ターゲットｅＮＢは、一から（すなわち、デフォルト値から）ＰＤＣＰ破棄タイマおよび／またはＲＬＣ破棄タイマを再初期化するのではなく、ソースｅＮＢから送信された値（１つまたは複数）を使用することによって、これらのタイマを初期化する。
【００６９】
アップリンク送信の場合に、ＰＤＣＰエンティティ内のＰＤＣＰ破棄タイマの値は、ＷＴＲＵの送信ＰＤＣＰエンティティによって再初期化されるのではなく、一般に、ハンドオーバ中またはＰＤＣＰ再確立中に保存され、継続される。
【００７０】
従来技術では、ＷＴＲＵのＲＬＣ送信エンティティが、ハンドオーバー中のアップリンク送信の場合にリセットされまたは再確立されると説明されるが、本願は、ＲＬＣもそれ自体のタイマ破棄機構を実施すると仮定して、ＷＴＲＵが、ＲＬＣ  ＳＤＵ破棄タイマを再初期化するのではなくその値を保存する実施形態を開示する。
【００７１】
一実施形態では、送信ＲＬＣエンティティで、リセットまたは再確立の時（たとえば、ハンドオーバ中）に、送信ＲＬＣエンティティは、その（再）送信バッファからＲＬＣ  ＰＤＵ（すなわち、セグメントまたはサブセグメント）を破棄／フラッシュするが、その送信バッファ内のＲＬＣ  ＳＤＵは保持／維持する。
【００７２】
送信ＲＬＣエンティティ（または、一般にＷＴＲＵ）は、ＲＬＣ  ＳＤＵに関連するＲＬＣ  ＳＤＵ破棄タイマの値を保存し（すなわち、デフォルトに再初期化せず）、ＷＴＲＵがターゲットｅＮＢに移動する時にこれらのタイマを使用し続ける。
【００７３】
もう１つの実施形態では、リセットまたは再確立の時（たとえば、ハンドオーバ中）に、送信ＲＬＣエンティティは、その（再）送信バッファからＲＬＣ  ＰＤＵ（すなわち、セグメントまたはサブセグメント）を破棄／フラッシュし、その送信バッファ内のＲＬＣ  ＳＤＵをも破棄／フラッシュする。
【００７４】
送信ＲＬＣエンティティ（または、一般にＵＥ）は、ＲＬＣ  ＳＤＵに関連するＲＬＣ  ＳＤＵ破棄タイマの値を保存し（すなわち、デフォルトに再初期化せず）、これらのタイマ値をそれらに対応するＳＤＵ識別子に関連付ける。
【００７５】
ＷＴＲＵがターゲットｅＮＢに移動する時に、送信ＰＤＣＰエンティティは、送信ＲＬＣエンティティにＲＬＣ  ＳＤＵ（すなわち、ＰＤＣＰ  ＰＤＵ）を送る／サブミットする。ＳＤＵ識別子に基づいて、送信ＲＬＣエンティティは、対応するタイマ値を見つけ／識別されたＳＤＵに関連付け、これらの見つかった（関連付けられた）値（１つまたは複数）を使用することによってＲＬＣ破棄タイマを初期化／セットする。対応するタイマ値が見つからない場合（たとえば、新しいＲＬＣ  ＳＤＵの場合）には、ＲＬＣ破棄タイマは、単純にデフォルト値に再初期化される。
【００７６】
もう１つの実施形態では、リセットまたは再確立の時（たとえば、ハンドオーバ中）に、送信ＲＬＣエンティティは、その（再）送信バッファからＲＬＣ  ＰＤＵ（すなわち、セグメントまたはサブセグメント）を破棄／フラッシュし、その送信バッファ内のＲＬＣ  ＳＤＵをも破棄／フラッシュする。
【００７７】
送信ＲＬＣエンティティ（または、一般にＷＴＲＵ）は、これらの破棄されるＲＬＣ  ＳＤＵに関連するＲＬＣ  ＳＤＵ破棄タイマの値を、送信ＰＤＣＰエンティティに（たとえば、プリミティブまたはシグナルまたは表示およびそのめいめいのパラメータを介して）通信する。
【００７８】
ＷＴＲＵがターゲットｅＮＢに移動する時に、送信ＰＤＣＰエンティティは、送信ＲＬＣエンティティにＲＬＣ  ＳＤＵ（すなわち、ＰＤＣＰ  ＰＤＵ）を、送信ＲＬＣエンティティによって以前に（すなわち、前のステップで）通信されたＲＬＣ  ＳＤＵ破棄タイマに使用すべき値と一緒に（たとえば、プリミティブおよびそのめいめいのパラメータを介して）送る／サブミットする。送信ＲＬＣエンティティは、送信ＰＤＣＰエンティティから戻って通信された値（１つまたは複数）を使用することによって、ＲＬＣ破棄タイマを初期化／セットする。
【００７９】
もう１つの実施形態では、リセットまたは再確立の時（たとえば、ハンドオーバ中）に、送信ＲＬＣエンティティは、その（再）送信バッファからＲＬＣ  ＰＤＵ（すなわち、セグメントまたはサブセグメント）を破棄／フラッシュし、その送信バッファ内のＲＬＣ  ＳＤＵをも破棄／フラッシュする。
【００８０】
ＵＥがターゲットｅＮＢに移動する時に、送信ＰＤＣＰエンティティは、送信ＲＬＣエンティティにＲＬＣ  ＳＤＵ（すなわち、ＰＤＣＰ  ＰＤＵ）を、ＲＬＣ  ＳＤＵ破棄タイマに使用すべき値と一緒に（たとえば、プリミティブまたはシグナルまたは表示およびそのめいめいのパラメータを介して）送る／サブミットする。たとえば、そのような値を、ＰＤＣＰ破棄タイマが満了する前の残り時間とすることができる。送信ＲＬＣエンティティは、送信ＰＤＣＰエンティティから通信された値（１つまたは複数）を使用することによって、ＲＬＣ破棄タイマを初期化／セットする。
【００８１】
上の例は、ハンドオーバの場合を仮定して示されるが、ＲＬＣのリセットまたは再確立がトリガされる他の場合が、ＰＤＣＰおよびＲＬＣならびにその相互作用に対する類似する効果を有する可能性がある。したがって、ＰＤＣＰおよびＲＬＣならびにその相互作用に関する上の例の多くは、ハンドオーバがない時（たとえば、ＲＬＣが他のイベントまたはトリガに起因してリセットされまたは初期化される時）にも適用可能とすることができる。ＲＬＣの再確立および上のＰＤＣＰ挙動につながる可能性がある非ハンドオーバのイベントまたはトリガは、ＲＲＣ接続再確立、無線リンク障害、ハンドオーバ障害、保全性保護障害、ＲＬＣが送信の最大回数に達すること、およびＲＲＣ接続再構成障害を含むことができる。
【００８２】
もう１つの実施形態では、ＰＤＣＰ  ＳＤＵ破棄は、ＲＬＣサブレイヤからの通知によってトリガされる。この実施形態では、ＲＬＣサブレイヤは、ＳＤＵ破棄に関するそれ自体のトリガを有する。ＰＤＣＰ  ＳＤＵ破棄機構は、それが下にあるＲＬＣサブレイヤから受け取る情報を介してトリガされる。
【００８３】
一実施形態では、たとえば
【００８４】
送信ＲＬＣエンティティは、情報を送信ＰＤＣＰエンティティに通信する（たとえば、プリミティブまたはシグナルまたは表示およびそのめいめいのパラメータを介して）。
【００８５】
送信ＰＤＣＰエンティティは、そのような情報を使用して、ＰＤＣＰ送信バッファからＰＤＣＰ  ＳＤＵを破棄する。
【００８６】
通信される情報は、破棄されるＳＤＵ（１つまたは複数）の識別子を含む。通信される情報は、次のうちの１つまたは複数をも含むことができる。
【００８７】
送信ＲＬＣエンティティから上の送信ＰＤＣＰエンティティに送られる、すべてのＲＬＣイベントによってトリガされる単純な破棄シグナル（１つまたは複数のＳＤＵに関する）。
【００８８】
送信ＲＬＣエンティティから上の送信ＰＤＣＰエンティティに送られる、ＲＬＣ  ＳＤＵ破棄イベントによってトリガされる破棄シグナル（１つまたは複数のＳＤＵに関する）。
【００８９】
ＲＬＣ（ＡＲＱ）ステータスレポートおよび／または（おそらくは）ＨＡＲＱからの情報に基づく成功の送達通知／シグナル（すなわち、ピアＲＬＣエンティティへのＳＤＵの送達が成功であった）。
【００９０】
ＲＬＣ（ＡＲＱ）ステータスレポートおよび／または（おそらくは）ＨＡＲＱからの情報に基づく失敗の送達通知／シグナル（すなわち、ピアＲＬＣエンティティへのＳＤＵの送達が不成功であった）。
【００９１】
送信ＰＤＣＰエンティティが、下にある送信ＲＬＣエンティティからそのような破棄トリガ／シグナルを受け取った後に、送信ＰＤＣＰエンティティは、ＲＬＣ  ＳＤＵ（１つまたは複数）が対応するＰＤＣＰパケット（１つまたは複数）を破棄する。そのような破棄機構は、ハンドオーバがない場合に適用することができる。
【００９２】
もう１つの実施形態では、ＰＤＣＰ  ＳＤＵ／ＰＤＵ破棄は、ＰＤＣＰステータスレポート（または「ＰＤＣＰステータスＰＤＵ」）内の情報によってトリガされる。この実施形態では、ＰＤＣＰサブレイヤは、受信ＰＤＣＰエンティティから送信ＰＤＣＰエンティティに交換され／送信されるＰＤＣＰステータスレポートを受け取る。
【００９３】
もう１つの実施形態では、ＰＤＣＰ  ＳＤＵ破棄機構は、ＰＤＣＰサブレイヤがＰＤＣＰステータスレポートから受け取る情報を介して、次のようにトリガされる。
【００９４】
受信ＰＤＣＰエンティティは、ＰＤＣＰステータスレポートを使用して、肯定（ＡＣＫ）または否定（ＮＡＣＫ）の肯定応答情報を送信ＰＤＣＰエンティティに通信する。
【００９５】
送信ＰＤＣＰエンティティは、そのようなステータスレポート情報を使用して、ＰＤＣＰ送信バッファからＰＤＣＰ  ＳＤＵを破棄する。
【００９６】
一般に、ＰＤＣＰステータスレポートおよび／またはそれが含む情報は、ＰＤＣＰ  ＳＤＵ破棄機構のトリガとして使用される。たとえば、送信ＰＤＣＰエンティティは、ＰＤＣＰステータスレポートを介して肯定的に肯定応答された複数のＰＤＣＰ  ＳＤＵ／ＰＤＵを破棄する。
【００９７】
上で説明したＳＤＵ破棄トリガは、独立に使用することができ、または、互いに組み合わせることができ、上記に基づくそのさまざまな組合せを構成することができる。
【００９８】
送信ＰＤＣＰエンティティが、ＰＤＣＰ  ＳＤＵ／ＰＤＵを破棄する（前に説明したトリガのうちの１もしくは複数に基づいて、またはある他のＰＤＣＰ  ＳＤＵ破棄トリガに基づいて）時に、送信ＰＤＣＰエンティティは、破棄されるＳＤＵ／ＰＤＵ（１つまたは複数）についてピア（すなわち、受信）ＰＤＣＰエンティティに通知するのに、明示的シグナリング（たとえば、ＰＤＣＰ  ＭＲＷ（ｍｏｖｅ  ｒｅｃｅｉｖｉｎｇ  ｗｉｎｄｏｗ）機構）を利用してもしなくてもよい。そのような明示的シグナル／メッセージは、送信ＰＤＣＰエンティティによって破棄された、かつ／または（再）送信できない複数のＰＤＣＰ  ＳＤＵまたはＰＤＵに関する情報（イネーブル識別（ｅｎａｂｌｅ  ｉｄｅｎｔｉｆｉｃａｔｉｏｎ）など）を伝えるのに使用される。そのメッセージを受信する時に、受信ＰＤＣＰエンティティは、そのメッセージ内で示され／識別されるパケット（１つまたは複数）を待たず、それがバッファリングした、より以前のパケットを上位レイヤにサブミットすることができる。ＰＤＣＰ制御ＰＤＵを使用して、そのようなシグナル／メッセージを搬送することができる。
【００９９】
一実施形態によれば、明示的シグナリングは、破棄がＰＤＣＰ  ＳＤＵタイマベース破棄トリガによってトリガされるときの破棄時（すなわち、タイマ満了時）に使用される。破棄時の明示的シグナリングは、破棄がＲＬＣ送達通知またはＰＤＣＰステータスレポートからではない時（これをそのようなケースで使用することは可能であるが）にトリガされる。
【０１００】
ＰＤＣＰ  ＰＤＵの破棄時のシグナリング機構を提供する前に、ＰＤＣＰシーケンス番号付けおよびバッファリングを実行する２つの実施形態を開示する。
【０１０１】
実施形態１  送信ＰＤＣＰエンティティは、ＳＤＵをＰＤＣＰ送信バッファに挿入する前に、ＰＤＣＰ  ＳＮを割り当てる。図５に、５２０でのバッファリングの前に５１０でＰＤＣＰ  ＳＮをＳＤＵに割り当てるように構成された送信ＰＤＣＰエンティティを示す。
【０１０２】
実施形態２  送信ＰＤＣＰエンティティは、ＰＤＣＰ送信バッファからＳＤＵを除去した後に、ＰＤＣＰ  ＳＮを割り当てる。図６に、６１０でのバッファリングの後に６２０でＰＤＣＰ  ＳＮをＳＤＵに割り当てるように構成された送信ＰＤＣＰエンティティを示す。
【０１０３】
図５および図６に示された実施形態は、あるＰＤＣＰ機能性を示すが、この開示が、ＰＤＣＰサブレイヤの機能性に対する将来の変更または修正がある場合であっても適用可能であり、ＰＤＣＰサブレイヤに追加される追加機能性があるときにも適用可能であることを理解されたい。
【０１０４】
ＰＤＣＰ  ＳＤＵを破棄する時のシグナリング機構（これを、明示的シグナリングを伴うＰＤＣＰ  ＳＤＵ破棄と称する場合がある）を、下で説明する。ＰＤＣＰ  ＳＤＵを破棄する（タイマ破棄または他の破棄トリガに起因して）時に、送信ＰＤＣＰエンティティは、破棄されるＳＤＵ（１つまたは複数）について受信ＰＤＣＰエンティティに通知するために、シグナリングメッセージを受信ＰＤＣＰエンティティに送信する。受信ＰＤＣＰエンティティは、それ相応にその動作を調整し／その動作に影響する。たとえば、受信ＰＤＣＰエンティティ受信ウィンドウ機能は、破棄されるＳＤＵ（１つまたは複数）を待たず、重複検出機能および／またはリオーダリング機能も、たとえばその次に期待されるＰＤＣＰ  ＳＮまたは対応するＰＤＣＰ  ＳＤＵ／ＰＤＵの受信状況を調整することを介して、破棄されるＳＤＵ（１つまたは複数）を待たない。そのようなシグナリングメッセージを、ＰＤＣＰ  ＭＲＷメッセージ、またはＰＤＣＰ「送信機ステータスレポート（Ｔｒａｎｓｍｉｔｔｅｒ  Ｓｔａｔｕｓ  Ｒｅｐｏｒｔ）」、または任意の他の名前と称する場合がある。ＰＤＣＰ制御ＰＤＵを使用して、そのようなシグナリングメッセージを搬送することができる。
【０１０５】
上の明示的シグナリングを伴うＰＤＣＰ  ＳＤＵ破棄機構は、図５に示された実施形態１で（すなわち、シーケンス番号付け５１０がＰＤＣＰ送信バッファリング５２０の前に行われた時に）使用される。というのは、バッファ内のＳＤＵが、既にそれにシーケンス番号を関連付けられており、あるＰＤＣＰ  ＳＤＵ  ＳＮが受信ＰＤＣＰエンティティに送達されないことを通信することが有用であるからである。
【０１０６】
図６に示された実施形態２（すなわち、シーケンス番号付け６２０がＰＤＣＰ送信バッファリング６１０の後に行われる時）では、破棄動作は、シーケンス番号付け６２０に影響せず、したがって、一般に、このケースでは明示的シグナリング機構の必要がない。
【０１０７】
もう１つの実施形態では、ＵＭ（ｕｎａｃｋｎｏｗｌｅｄｇｅｄ  ｍｏｄｅ）ＲＬＣまたはＴＭ（ｔｒａｎｓｐａｒｅｎｔ  ｍｏｄｅ）ＲＬＣを利用するトラフィックについて、ＵＭ  ＲＬＣまたはＴＭ  ＲＬＣにマッピングする（これを利用する）送信ＰＤＣＰエンティティは、ＰＤＣＰ  ＳＤＵを破棄する時に明示的シグナリングを使用しない。これは、受信ＰＤＣＰエンティティのＰＤＣＰリオーダリング機能が使用されない場合に、特に有用である。ＰＤＣＰリオーダリングがＵＭ  ＲＬＣモードまたはＴＭ  ＲＬＣモードについて使用される場合には、明示的シグナリングを伴うＰＤＣＰ破棄機構を使用することができる。
【０１０８】
ＰＤＣＰウィンドウフロー制御が使用される（たとえば、送信機のＰＤＣＰ送信ウィンドウ）場合に、ＰＤＣＰ  ＳＤＵを破棄する時に、ＰＤＣＰ送信機は、ウィンドウの「下側エッジ」を更新し（したがって、ウィンドウを拡大し）、これは、より多くのＰＤＣＰパケットをＰＤＣＰ送信機によって処理することを可能にする。受信ＰＤＣＰエンティティの受信ウィンドウを、送信ＰＤＣＰエンティティが破棄を明示的にシグナリングする場合に、前進させることもできる。
【０１０９】
もう１つの実施形態では、ＲＬＣ送達通知を使用して、ＰＤＣＰ送信ウィンドウを前進させることができる（たとえば、ＲＬＣによって成功して確認されたパケットについて）。同様に、ＰＤＣＰステータスレポートに含まれる情報を使用して、ＰＤＣＰ送信ウィンドウを前進させることができる（たとえば、ＰＤＣＰステータスレポートによって成功して確認されたパケットについて）。
【０１１０】
もう１つの実施形態では、受信ＰＤＣＰエンティティは、破棄されたまたは送達されないＳＤＵについて上位レイヤに知らせるために、上位レイヤ（たとえば、上位ユーザプレーンレイヤまたはＲＲＣレイヤ）にサービスを提供する。この実施形態は、次のうちの１つまたは複数を使用して達成される。
【０１１１】
受信ＰＤＣＰエンティティが、破棄されるＳＤＵ（１つまたは複数）についてそれに通知する明示的な破棄通知（たとえば、ＰＤＣＰ  ＭＲＷまたは任意の他のシグナル）をピアから（すなわち、送信ＰＤＣＰエンティティから）受信する時に、受信ＰＤＣＰエンティティは、欠けているＳＤＵについて、上位レイヤに表示／識別情報を通信／シグナリングする（たとえば、プリミティブまたはシグナルまたは表示およびそのパラメータを介して）。
【０１１２】
受信ＰＤＣＰエンティティのリオーダリング機能がタイムアウトする（すなわち、ＳＤＵを待って停止するか、次に期待されるＰＤＣＰ  ＳＮをスキップするか、欠けているＰＤＣＰ  ＳＮを検出する）時に、受信ＰＤＣＰエンティティは、欠けているＳＤＵについて、上位レイヤに表示／識別情報を通信／シグナリングする（たとえば、プリミティブまたはシグナルまたは表示およびそのパラメータを介して）。
【０１１３】
受信ＰＤＣＰエンティティの受信ウィンドウ機能が前進する（すなわち、ＳＤＵを待って停止するか、次に期待されるＰＤＣＰ  ＳＮをスキップするか、欠けているＰＤＣＰ  ＳＮを検出する）時に、受信ＰＤＣＰエンティティは、欠けているＳＤＵについて、上位レイヤに表示／識別情報を通信／シグナリングする（たとえば、プリミティブまたはシグナルまたは表示およびそのパラメータを介して）。
【０１１４】
したがって、受信されたＰＤＣＰ  ＳＤＵを上位レイヤに送達するのに使用されるＰＤＣＰ−ＤＡＴＡ−Ｉｎｄプリミティブは、上位レイヤに送達されない１つまたは複数の破棄されたＰＤＣＰパケット（ＳＤＵ）に関する破棄情報を追加して送達する（たとえば、ＤｉｓｃａｒｄＩｎｆｏプリミティブパラメータをサポートする）ように機能強化される。
【０１１５】
本開示は、全体として、ＰＤＣＰサブレイヤの機能性に対する将来の変更または修正がある場合であっても適用可能とすることができる。たとえば、本明細書の技法は、シーケンス番号付けがＰＤＣＰ  ＳＤＵレベルではなくＰＤＣＰ  ＰＤＵレベルごとに行われる場合であっても適用される。本教示は、ＰＤＣＰサブレイヤに追加された追加機能性がある場合であっても、まだ適用可能とすることができる。
【０１１６】
上の多数の例／説明が、ハンドオーバの場合を仮定して示されるが、ＲＬＣのリセットまたは再確立がトリガされる他の場合が、ＰＤＣＰおよびＲＬＣならびにその相互作用に対する類似する効果を有する可能性がある。したがって、ＰＤＣＰおよびＲＬＣならびにその相互作用に関する教示は、ハンドオーバがない時（たとえば、ＲＬＣが他のイベントまたはトリガに起因してリセットされまたは再確立される時）であっても適用可能とすることができる。ＲＬＣの再確立および上のＰＤＣＰ挙動につながる可能性がある非ハンドオーバのイベントまたはトリガは、ＲＲＣ接続再確立、無線リンク障害、ハンドオーバ障害、保全性保護障害、ＲＬＣが送信の最大回数に達すること、およびＲＲＣ接続再構成障害を含むことができる。
【０１１７】
図８は、図７の無線通信ネットワークのＷＴＲＵ  ７１０およびｅＮＢ  ７２０の機能ブロック図である。図７に示されているように、ＷＴＲＵ  ７１０は、ｅＮＢ（ｅｖｏｌｖｅｄ  Ｎｏｄｅ−Ｂ）７２０と通信しており、この両方が、めいめいのプロセッサ８１５および８２５によって、上で説明した方法を実行するように構成される。
【０１１８】
通常のＷＴＲＵに見ることができるコンポーネントに加えて、ＷＴＲＵ  ７１０は、バッファを伴うプロセッサ８１５、受信機８１７、送信機８１６、およびアンテナ８１８を含む。プロセッサ８１５は、ＰＤＣＰ破棄動作および機能強化されたレイヤ２動作を実行するように構成される。受信機８１７および送信機８１６は、プロセッサ８１５と通信している。アンテナ８１８は、受信機８２７と送信機８２６との両方と通信して、無線データの送信および受信を容易にする。
【０１１９】
通常のｅＮＢ  ７２０に見ることができるコンポーネントに加えて、ｅＮＢ  ７２０は、バッファを伴うプロセッサ８２５、受信機８２６、送信機８２７、およびアンテナ８２８を含む。プロセッサ８２５は、ＰＤＣＰ破棄動作および機能強化されたレイヤ２動作を実行するように構成される。受信機８２６および送信機８２７は、プロセッサ８２５と通信している。アンテナ８２８は、受信機８１７と送信機８１６との両方と通信して、無線データの送信および受信を容易にする。
【０１２０】
特徴および要素は、好ましい実施形態で特定の組合せで説明されるが、各特徴または要素を、他の特徴および要素を伴わずに単独で、または他の特徴および要素を伴ってもしくは伴わずにさまざまな組合せで使用することができる。提供される方法または流れ図は、汎用コンピュータまたはプロセッサによる実行のためにコンピュータ可読記憶媒体内で有形に実施される、コンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光媒体を含む。
【０１２１】
適切なプロセッサは、たとえば、汎用プロセッサ、特殊目的プロセッサ、従来のプロセッサ、ＤＳＰ（ディジタル信号プロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、すべての他のタイプのＩＣ（集積回路）、および／または状態機械を含む。
【０１２２】
実施形態
１．ＰＤＣＰ（ｐａｃｋｅｔ  ｄａｔａ  ｃｏｎｖｅｒｇｅｎｃｅ  ｐｒｏｔｏｃｏｌ）パケットまたはＲＬＣ（ｒａｄｉｏ  ｌｉｎｋ  ｃｏｎｔｒｏｌ）パケットを破棄することを含む方法。
２．基準イベントが発生して以降に経過した時間を測定し、チェックすることをさらに含む、実施形態１の方法。
３．経過した時間がしきい値に達するかこれを超える場合にＰＤＣＰパケットを破棄することをさらに含む、実施形態１の方法。
４．ＰＤＣＰパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、前の実施形態のいずれかに記載の方法。
５．測定し、チェックすることおよび破棄することは、ＰＤＣＰエンティティによって実行される、前の実施形態のいずれかに記載の方法。
６．基準イベントは、上位レイヤからのパケットの受取、バッファへのパケットの格納、バッファからのバケットの除去、下位レイヤへのパケットの送出、またはパケットに対するＰＤＣＰプロシージャ、ＰＤＣＰ機能、もしくはＰＤＣＰアクションの実行のうちの少なくとも１つである、前の実施形態のいずれかに記載の方法。
７．破棄されるＰＤＣＰパケットの表示を下位レイヤに送出すること
をさらに含む、前の実施形態のいずれかに記載の方法。
８．示されるＰＤＣＰパケットに対応するＲＬＣパケットを破棄することであって、ＲＬＣパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、破棄すること
をさらに含む、前の実施形態のいずれかに記載の方法。
９．ＰＤＣＰ（ｐａｃｋｅｔ  ｄａｔａ  ｃｏｎｖｅｒｇｅｎｃｅ  ｐｒｏｔｏｃｏｌ）パケットまたはＲＬＣ（ｒａｄｉｏ  ｌｉｎｋ  ｃｏｎｔｒｏｌ）パケットを破棄することを含み、さらに、タイマを開始することを含む、前の実施形態のいずれかに記載の方法。
１０．タイマの満了時にＰＤＣＰパケットを破棄することをさらに含む、実施形態９に記載の方法。
１１．ＰＤＣＰパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、実施形態８から１０のいずれか１つに記載の方法。
１２．タイマの開始することおよび破棄することは、ＰＤＣＰエンティティによって実行される、実施形態８から１１のいずれか１つに記載の方法。
１３．タイマの開始することは、上位レイヤからＰＤＣＰ  ＳＤＵを受け取る時に実行される、実施形態８から１２のいずれか１つに記載の方法。
１４．タイマの開始することは、下位レイヤにＰＤＣＰ  ＰＤＵを送る時に実行される、実施形態８から１３のいずれか１つに記載の方法。
１５．タイマの開始することは、上位レイヤからのパケットの受取、バッファへのパケットの格納、バッファからのバケットの除去、下位レイヤへのパケットの送出、またはパケットに対するＰＤＣＰプロシージャ、ＰＤＣＰ機能、もしくはＰＤＣＰアクションの実行のうちの少なくとも１つの発生時に実行される、実施形態８から１４のいずれか１つに記載の方法。
１６．破棄されるＰＤＣＰパケットの表示を下位レイヤに送出すること
をさらに含む、実施形態８から１５のいずれか１つに記載の方法。
１７．示されるＰＤＣＰパケットに対応するＲＬＣパケットを破棄することであって、ＲＬＣパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、破棄すること
をさらに含む、実施形態８から１６のいずれか１つに記載の方法。
１８．別々のタイマは、すべてのＰＤＣＰパケットについて開始される、実施形態８から１７のいずれか１つに記載の方法。
１９．タイマのしきい値は、別のレイヤによって構成される、実施形態８から１８のいずれか１つに記載の方法。
２０．タイマのしきい値は、ＲＲＣ（ｒａｄｉｏ  ｒｅｓｏｕｒｃｅ  ｃｏｎｔｒｏｌ）レイヤによって構成される、実施形態８から１９のいずれか１つに記載の方法。
２１．タイマのしきい値は、ＲＢ（ｒａｄｉｏ  ｂｅａｒｅｒ）ごとの基礎で構成される、実施形態８から２０のいずれか１つに記載の方法。
２２．タイマおよびＲＬＣ（ｒａｄｉｏ  ｌｉｎｋ  ｃｏｎｔｒｏｌ）破棄タイマは、調整される、実施形態８から２１のいずれか１つに記載の方法。
２３．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄することを含み、さらに、
基準イベントの発生の時刻を記録し、または格納することと、
現在時刻と記録された時刻との間の差が事前に構成された時間しきい値に達するかこれを超える場合に、ＰＤＣＰ  ＳＤＵ／ＰＤＵを破棄することと
を含む、実施形態８から２２のいずれか１つに記載の方法。
２４．基準イベントは、上位レイヤからのパケットの受取、バッファへのパケットの格納、バッファからのバケットの除去、下位レイヤへのパケットの送出、またはパケットに対するＰＤＣＰプロシージャ、ＰＤＣＰ機能、もしくはＰＤＣＰアクションの実行のうちの少なくとも１つである、実施形態８から２３のいずれか１つに記載の方法。
２５．破棄されるＰＤＣＰ  ＳＤＵ／ＰＤＵの表示を下位レイヤに送出すること
をさらに含む、実施形態８から２４のいずれか１つに記載の方法。
２６．示されるＰＤＣＰ  ＳＤＵ／ＰＤＵに対応するＲＬＣ  ＳＤＵを破棄すること
をさらに含む、実施形態８から２５のいずれか１つに記載の方法。
２７．現在時刻と記録された時刻との間の差が事前に構成された時間しきい値に達するかこれを超える場合に、ＰＤＣＰ  ＳＤＵ／ＰＤＵに対応するＲＬＣ  ＳＤＵを破棄すること
をさらに含む、実施形態８から２６のいずれか１つに記載の方法。
２８．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄することを含み、さらに、
上位レイヤからのＰＤＣＰ  ＳＤＵの受取時に、タイムスタンプをＰＤＣＰ  ＳＤＵに関連付けることと、
上位レイヤからの受取の時刻をタイムスタンプに格納することと、
現在時刻とタイムスタンプとの間の差が事前に構成された時間しきい値に達するかこれを超える場合に、関連付けられたＰＤＣＰ  ＳＤＵ／ＰＤＵを破棄することと
を含む、実施形態８から２７のいずれか１つに記載の方法。
２９．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄することを含み、さらに、
下位レイヤへのＰＤＣＰ  ＳＤＵ／ＰＤＵの送出時に、タイムスタンプをＰＤＣＰ  ＳＤＵ／ＰＤＵに関連付けることと、
下位レイヤへの送出の時刻をタイムスタンプに格納することと、
現在時刻とタイムスタンプとの間の差が事前に構成された時間しきい値に達するかこれを超える場合に、関連付けられたＰＤＣＰ  ＳＤＵ／ＰＤＵを破棄することと
を含む、実施形態８から２８のいずれか１つに記載の方法。
３０．ＲＬＣ（ｒａｄｉｏ  ｌｉｎｋ  ｃｏｎｔｒｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄することを含み、さらに、
ＰＤＣＰ（ｐａｃｋｅｔ  ｄａｔａ  ｃｏｎｖｅｒｇｅｎｃｅ  ｐｒｏｔｏｃｏｌ）エンティティによって判定されまたはシグナリングされる初期値を使用してタイマをセットすることと、
タイマの満了時にＲＬＣ  ＳＤＵ／ＰＤＵを破棄することと
を含む、実施形態８から２９のいずれか１つに記載の方法。
３１．タイマのセットすることおよび破棄することは、ＲＬＣエンティティによって実行される、実施形態８から３０のいずれか１つに記載の方法。
３２．タイマのセットすることは、上位レイヤからＲＬＣ  ＳＤＵを受け取る時に実行される、実施形態８から３１のいずれか１つに記載の方法。
３３．ＲＬＣ（ｒａｄｉｏ  ｌｉｎｋ  ｃｏｎｔｒｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄することを含み、さらに、
ＰＤＣＰ（ｐａｃｋｅｔ  ｄａｔａ  ｃｏｎｖｅｒｇｅｎｃｅ  ｐｒｏｔｏｃｏｌ）エンティティが上位レイヤからパケットを受け取ること、ＰＤＣＰエンティティがバッファにパケットを格納すること、ＰＤＣＰエンティティがバッファからパケットを除去すること、またはＰＤＣＰエンティティがパケットに対してＰＤＣＰプロシージャ、ＰＤＣＰ機能、もしくはＰＤＣＰアクションを実行することのうちの少なくとも１つである基準イベントの発生の時刻を記録し、または格納することと、
現在時刻と記録された時刻との間の差がある（事前に構成された）時間しきい値に達するかこれを超える場合に、パケットに対応するＲＬＣ  ＳＤＵ／ＰＤＵを破棄することと
を含む、実施形態８から３２のいずれか１つに記載の方法。
３４．ＲＬＣ（ｒａｄｉｏ  ｌｉｎｋ  ｃｏｎｔｒｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄することを含み、さらに、
上位レイヤからのＲＬＣ  ＳＤＵの受取時に、タイムスタンプをＲＬＣ  ＳＤＵに関連付けることと、
上位レイヤからの受取の時刻をタイムスタンプに格納することと、
現在時刻とタイムスタンプとの間の差が時間しきい値に達するかこれを超える場合に、関連付けられたＲＬＣ  ＳＤＵ／ＰＤＵを破棄することであって、しきい値は、ＰＤＣＰエンティティによって判定されまたはシグナリングされる、破棄することと
を含む、実施形態８から３３のいずれか１つに記載の方法。
３５．ＰＤＣＰ（ｐａｃｋｅｔ  ｄａｔａ  ｃｏｎｖｅｒｇｅｎｃｅ  ｐｒｏｔｏｃｏｌ）破棄をＲＬＣ（ｒａｄｉｏ  ｌｉｎｋ  ｃｏｎｔｒｏｌ）破棄と調整することを含み、さらに、
上位レイヤからのＰＤＣＰ  ＳＤＵの受取時に、第１タイマをセットすることと、
ＰＤＣＰ  ＳＤＵ／ＰＤＵをＰＤＣＰエンティティ内でバッファリングすることと、
ＰＤＣＰ  ＳＤＵ／ＰＤＵを、ＰＤＣＰエンティティ内で過ごされた時間の表示または第１タイマの値の表示と共に送信のために下位レイヤに送ることと
を含む、実施形態８から３４のいずれか１つに記載の方法。
３６．示された値を用いて第２タイマを初期化することと、
上位レイヤからのＰＤＣＰ  ＳＤＵ／ＰＤＵに対応するＲＬＣ  ＳＤＵの受取時に第２タイマを開始することと、
第２タイマが満了する場合にＰＤＣＰ  ＳＤＵ／ＰＤＵに対応するＲＬＣ  ＳＤＵを破棄することと
をさらに含む、実施形態８から３５のいずれか１つに記載の方法。
３７．ＰＤＣＰ（ｐａｃｋｅｔ  ｄａｔａ  ｃｏｎｖｅｒｇｅｎｃｅ  ｐｒｏｔｏｃｏｌ）破棄をＲＬＣ（ｒａｄｉｏ  ｌｉｎｋ  ｃｏｎｔｒｏｌ）破棄と調整することを含み、さらに、
上位レイヤからのＰＤＣＰ  ＳＤＵの受取時に、タイムスタンプをＰＤＣＰ  ＳＤＵに関連付けることと、
上位レイヤからの受取の時刻をタイムスタンプに格納することと、
タイムスタンプの値と共に送信するためにＰＤＣＰ  ＳＤＵに対応するＰＤＣＰ  ＰＤＵを下位レイヤに送ることと
を含む、実施形態８から３６のいずれか１つに記載の方法。
３８．ＰＤＣＰ  ＰＤＵに対応するＲＬＣ  ＳＤＵを受け取ることと、
タイムスタンプ値を受け取ることと、
現在時刻に対してタイムスタンプ値をチェックすることと
現在時刻とタイムスタンプ値との間の差が事前に構成された時間しきい値に達するかこれを超える場合に、関連付けられたＲＬＣ  ＳＤＵ／ＰＤＵを破棄することと
をさらにを含む、実施形態８から３７のいずれか１つに記載の方法。
３９．ＰＤＣＰ（ｐａｃｋｅｔ  ｄａｔａ  ｃｏｎｖｅｒｇｅｎｃｅ  ｐｒｏｔｏｃｏｌ）破棄をＲＬＣ（ｒａｄｉｏ  ｌｉｎｋ  ｃｏｎｔｒｏｌ）破棄と調整することを含み、さらに、
トリガイベントに基づいてパケットを破棄すべきかどうかを判定することと、
パケットを破棄することと、
破棄されたパケットの表示をシグナリングすることと
を含む、実施形態８から３８のいずれか１つに記載の方法。
４０．破棄されたパケットの表示を受け取ることと、
示された破棄されたパケットに対応するパケットを破棄することと
をさらに含む、実施形態８から３９のいずれか１つに記載の方法。
４１．ＰＤＣＰ（ｐａｃｋｅｔ  ｄａｔａ  ｃｏｎｖｅｒｇｅｎｃｅ  ｐｒｏｔｏｃｏｌ）破棄を含み、さらに、
プリミティブおよびそのめいめいのパラメータを介して情報をシグナリングすることと、
シグナリングされた情報を使用してＰＤＣＰ  ＳＤＵ（ｓｅｒｖｉｃｅ  ｄａｔａ  ｕｎｉｔ）を破棄することと
を含む、実施形態８から４０のいずれか１つに記載の方法。
４２．シグナリングすることは、送信ＲＬＣ（ｒａｄｉｏ  ｌｉｎｋ  ｃｏｎｔｒｏｌ）エンティティによって実行され、破棄することは、送信ＰＤＣＰエンティティによって実行される、実施形態８から４１のいずれか１つに記載の方法。
４３．情報は、破棄されるＰＤＣＰ  ＳＤＵの識別子を含む、実施形態８から４２のいずれか１つに記載の方法。
４４．情報は、
任意のＲＬＣイベントによってトリガされるＳＤＵに関する破棄シグナル、
ＲＬＣ  ＳＤＵ破棄イベントによってトリガされるＳＤＵに関する破棄シグナル、
ＲＬＣ  ＡＲＱ（自動再送要求）ステータスレポートまたはＨＡＲＱ（ハイブリッド自動再送要求）肯定応答（ＡＣＫ）／否定応答（ＮＡＣＫ）フィードバックからの情報に基づいて、ピアＲＬＣエンティティへのＳＤＵの送達が成功であったことを示す成功の送達通知、または
失敗の送達通知／シグナル
のうちの少なくとも１つを含む、実施形態８から４３のいずれか１つに記載の方法。
４５．ＲＬＣ（ｒａｄｉｏ  ｌｉｎｋ  ｃｏｎｔｒｏｌ）破棄を含み、さらに、
プリミティブおよびそのめいめいのパラメータを介して情報をシグナリングすることと、
シグナリングされた情報を使用してＲＬＣ  ＳＤＵ（ｓｅｒｖｉｃｅ  ｄａｔａ  ｕｎｉｔ）を破棄することと
を含む、実施形態８から４４のいずれか１つに記載の方法。
４６．シグナリングすることは、送信ＰＤＣＰ（ｐａｃｋｅｔ  ｄａｔａ  ｃｏｎｖｅｒｇｅｎｃｅ  ｐｒｏｔｏｃｏｌ）エンティティによって実行され、破棄することは、送信ＲＬＣエンティティによって実行される、実施形態８から４５のいずれか１つに記載の方法。
４７．情報は、破棄されるＲＬＣ  ＳＤＵの識別子を含む、実施形態８から４６のいずれか１つに記載の方法。
４８．情報は、
任意のＰＤＣＰイベントによってトリガされるＳＤＵに関する破棄シグナル、
ＰＤＣＰ  ＳＤＵ破棄イベントによってトリガされるＳＤＵに関する破棄シグナル、
ＰＤＣＰ  ＳＤＵタイマベース破棄イベントによってトリガされるＳＤＵに関する破棄シグナル、または
受け取られたＰＤＣＰステータスレポート内の肯定応答（ＡＣＫ）表示によってトリガされるＳＤＵに関する破棄シグナル
のうちの少なくとも１つを含む、実施形態８から４７のいずれか１つに記載の方法。
４９．ＰＤＣＰ（ｐａｃｋｅｔ  ｄａｔａ  ｃｏｎｖｅｒｇｅｎｃｅ  ｐｒｏｔｏｃｏｌ）破棄を含み、さらに、
ＰＤＣＰステータスレポートを受け取ることを介して肯定応答（ＡＣＫ）または否定応答（ＮＡＣＫ）の情報を受け取ることと、
受け取られたＰＤＣＰステータスレポート情報に基づいてＰＤＣＰ  ＳＤＵ／ＰＤＵを破棄することと
を含む、実施形態８から４８のいずれか１つに記載の方法。
５０．ＰＤＣＰ（ｐａｃｋｅｔ  ｄａｔａ  ｃｏｎｖｅｒｇｅｎｃｅ  ｐｒｏｔｏｃｏｌ）破棄を含み、さらに、
ＰＤＣＰステータスレポートを受け取ることを介して肯定応答（ＡＣＫ）または否定応答（ＮＡＣＫ）の情報を受け取ることと、
ＰＤＣＰ  ＳＤＵ／ＰＤＵのＡＣＫ表示がＰＤＣＰステータスレポート内で受け取られる場合に、ＰＤＣＰ  ＳＤＵ／ＰＤＵを破棄することと
を含む、実施形態８から４９のいずれか１つに記載の方法。
５１．破棄されるＰＤＣＰ  ＳＤＵ／ＰＤＵの表示を下位レイヤに送ること
をさらに含む、実施形態８から５０のいずれか１つに記載の方法。
５２．示されたＰＤＣＰ  ＳＤＵ／ＰＤＵに対応するＲＬＣ  ＳＤＵ／ＰＤＵを破棄すること
をさらに含む、実施形態８から５１のいずれか１つに記載の方法。
５３．ＰＤＣＰ（ｐａｃｋｅｔ  ｄａｔａ  ｃｏｎｖｅｒｇｅｎｃｅ  ｐｒｏｔｏｃｏｌ）破棄を含み、さらに、
タイマベース破棄トリガに基づいてＰＤＣＰ  ＳＤＵ／ＰＤＵを破棄することと、
破棄されたまたは送信しもしくは再送信することのできないＳＤＵ／ＰＤＵに関する情報を送出することと
を含む、実施形態８から５２のいずれか１つに記載の方法。
５４．ＰＤＣＰ（ｐａｃｋｅｔ  ｄａｔａ  ｃｏｎｖｅｒｇｅｎｃｅ  ｐｒｏｔｏｃｏｌ）リオーダリングまたはインシーケンス送達を含み、さらに、、
破棄されたまたは送信しもしくは再送信することのできないパケットに関する情報を受け取ることと、
情報内で示されたパケットを待たずに、以前にバッファリングされたパケットを上位レイヤにサブミットすることと
を含む、実施形態８から５３のいずれか１つに記載の方法。
５５．ＰＤＣＰ制御ＰＤＵは情報を搬送する、実施形態８から５４のいずれか１つに記載の方法。
５６．ＰＤＣＰ制御ＰＤＵは情報を搬送する、実施形態８から５５のいずれか１つに記載の方法。
５７．送信機でのＰＤＣＰ（ｐａｃｋｅｔ  ｄａｔａ  ｃｏｎｖｅｒｇｅｎｃｅ  ｐｒｏｔｏｃｏｌ）パケット処理を含み、さらに、
上位レイヤからパケットを受け取ることと、
パケットをＰＤＣＰ送信バッファに挿入する前に、パケットにＰＤＣＰシーケンス番号（ＳＮ）を割り当てることと
を含む、実施形態８から５６のいずれか１つに記載の方法。
５８．送信機でのＰＤＣＰ（ｐａｃｋｅｔ  ｄａｔａ  ｃｏｎｖｅｒｇｅｎｃｅ  ｐｒｏｔｏｃｏｌ）パケット処理を含み、さらに、
上位レイヤからパケットを受け取ることと、
パケットをＰＤＣＰ送信バッファに挿入することと、
パケットをＰＤＣＰ送信バッファから除去した後に、パケットにＰＤＣＰシーケンス番号（ＳＮ）を割り当てることと
を含む、実施形態８から５７のいずれか１つに記載の方法。
５９．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成されたＷＴＲＵ（無線送受信ユニット）。
６０．基準イベントが発生して以降に経過した時間を測定し、チェックするように構成されたＰＤＣＰエンティティを含む、実施形態５９に記載のＷＴＲＵ。
６１．経過した時間がしきい値に達するかこれを超える場合にＰＤＣＰパケットを破棄するように構成されたＰＤＣＰエンティティをさらに含み、ＰＤＣＰパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、実施形態５９から６０のいずれか１つに記載のＷＴＲＵ。
６２．基準イベントは、上位レイヤからのパケットの受取、バッファへのパケットの格納、バッファからのバケットの除去、下位レイヤへのパケットの送出、またはパケットに対するＰＤＣＰプロシージャ、ＰＤＣＰ機能、もしくはＰＤＣＰアクションの実行のうちの少なくとも１つである、実施形態５９から６１のいずれか１つに記載のＷＴＲＵ。
６３．破棄されるＰＤＣＰパケットの表示をＲＬＣエンティティに送出するように構成されたＰＤＣＰエンティティをさらに含む、実施形態５９から６２のいずれか１つに記載のＷＴＲＵ。
６４．示されるＰＤＣＰパケットに対応するＲＬＣパケットを破棄するように構成されたＲＬＣエンティティをさらに含み、ＲＬＣパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、実施形態５９から６３のいずれか１つに記載のＷＴＲＵ。
６５．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成されたＷＴＲＵ（無線送受信ユニット）。
６６．タイマを開始するように構成されたＰＤＣＰエンティティを含む、実施形態６５に記載のＷＴＲＵ。
６７．タイマの満了時にＰＤＣＰパケットを破棄するようにさらに構成されたＰＤＣＰエンティティをさらに含む、実施形態６５から６６のいずれか１つに記載のＷＴＲＵ。
６８．ＰＤＣＰパケットは、少なくとも１つのＳＤＵまたはＰＤＵを含む、実施形態６５から６７のいずれか１つに記載のＷＴＲＵ。
６９．上位レイヤからＰＤＣＰ  ＳＤＵを受け取る時にタイマを開始するように構成されたＰＤＣＰエンティティ
をさらに含む、実施形態６５から６８のいずれか１つに記載のＷＴＲＵ。
７０．下位レイヤにＰＤＣＰ  ＰＤＵを送る時にタイマを開始するように構成されたＰＤＣＰエンティティ
をさらに含む、実施形態６５から６９のいずれか１つに記載のＷＴＲＵ。
７１．ＰＤＣＰエンティティは、上位レイヤからのパケットの受取、バッファへのパケットの格納、バッファからのバケットの除去、下位レイヤへのパケットの送出、またはパケットに対するＰＤＣＰプロシージャ、ＰＤＣＰ機能、もしくはＰＤＣＰアクションの実行のうちの少なくとも１つの発生時にタイマを開始するように構成される、実施形態６５から７０のいずれか１つに記載のＷＴＲＵ。
７２．破棄されるＰＤＣＰパケットの表示をＲＬＣエンティティに送るようにさらに構成されたＰＤＣＰエンティティ
をさらに含む、実施形態６５から７１のいずれか１つに記載のＷＴＲＵ。
７３．破棄されるＰＤＣＰパケットに対応するＲＬＣパケットを破棄するように構成されたＲＬＣエンティティであって、ＲＬＣパケットは、少なくとも１つのＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を含む、ＲＬＣエンティティ
をさらに含む、実施形態６５から７２のいずれか１つに記載のＷＴＲＵ。
７４．すべてのＰＤＣＰパケットについて別々のタイマを開始するように構成されたＰＤＣＰエンティティ
をさらに含む、実施形態６５から７３のいずれか１つに記載のＷＴＲＵ。
７５．タイマのしきい値は、別のレイヤによって構成される、実施形態６５から７４のいずれか１つに記載のＷＴＲＵ。
７６．タイマのしきい値は、ＲＲＣ（ｒａｄｉｏ  ｒｅｓｏｕｒｃｅ  ｃｏｎｔｒｏｌ）レイヤによって構成される、実施形態６５から７５のいずれか１つに記載のＷＴＲＵ。
７７．タイマのしきい値は、ＲＢ（ｒａｄｉｏ  ｂｅａｒｅｒ）ごとの基礎で構成される、実施形態６５から７６のいずれか１つに記載のＷＴＲＵ。
７８．タイマおよびＲＬＣ（ｒａｄｉｏ  ｌｉｎｋ  ｃｏｎｔｒｏｌ）破棄タイマは、調整される、実施形態６５から７７のいずれか１つに記載のＷＴＲＵ。
７９．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成され、
基準イベントの発生の時刻を記録し、または格納するように構成された送信ＰＤＣＰエンティティ
を含み、送信ＰＤＣＰエンティティは、現在時刻と記録された時刻との間の差が事前に構成された時間しきい値に達するかこれを超える場合に、ＰＤＣＰ  ＳＤＵ／ＰＤＵを破棄するようにさらに構成される
実施形態６５から７８のいずれか１つに記載のＷＴＲＵ。
８０．基準イベントを記録しまたは格納するように構成された送信ＰＤＣＰエンティティをさらに含み、上記基準イベントは、上位レイヤからのパケットの受取、バッファへのパケットの格納、バッファからのバケットの除去、下位レイヤへのパケットの送出、またはパケットに対するＰＤＣＰプロシージャ、ＰＤＣＰ機能、もしくはＰＤＣＰアクションの実行のうちの少なくとも１つを含む、実施形態６５から７９のいずれか１つに記載のＷＴＲＵ。
８１．破棄されるＰＤＣＰ  ＳＤＵ／ＰＤＵの表示を送信ＲＬＣエンティティに送出するように構成された送信ＰＤＣＰエンティティ
をさらに含む、実施形態６５から８０のいずれか１つに記載のＷＴＲＵ。
８２．示されるＰＤＣＰ  ＳＤＵ／ＰＤＵに対応するＲＬＣ  ＳＤＵを破棄するように構成された送信ＲＬＣエンティティ
をさらに含む、実施形態６５から８１のいずれか１つに記載のＷＴＲＵ。
８３．現在時刻と記録された時刻との間の差が事前に構成された時間しきい値に達するかこれを超える場合に、ＰＤＣＰ  ＳＤＵ／ＰＤＵに対応するＲＬＣ  ＳＤＵを破棄するように構成された送信ＲＬＣエンティティ
をさらに含む、実施形態６５から８２のいずれか１つに記載のＷＴＲＵ。
８４．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成され、
上位レイヤからのＰＤＣＰ  ＳＤＵの受取時に、タイムスタンプをＰＤＣＰ  ＳＤＵに関連付けるように構成された送信ＰＤＣＰエンティティ
を含み、送信ＰＤＣＰエンティティは、上位レイヤからの受取の時刻をタイムスタンプに格納するように構成され、
送信ＰＤＣＰエンティティは、現在時刻とタイムスタンプとの間の差が事前に構成された時間しきい値に達するかこれを超える場合に、関連付けられたＰＤＣＰ  ＳＤＵ／ＰＤＵを破棄するように構成される
実施形態６５から８３のいずれか１つに記載のＷＴＲＵ。
８５．ＰＤＣＰ（ｐａｃｋｅｔ  ｄａｔａ  ｃｏｎｖｅｒｇｅｎｃｅ  ｐｒｏｔｏｃｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成され、
下位レイヤへのＰＤＣＰ  ＳＤＵ／ＰＤＵの送出時に、タイムスタンプをＰＤＣＰ  ＳＤＵ／ＰＤＵに関連付けるように構成された送信ＰＤＣＰエンティティ
を含み、送信ＰＤＣＰエンティティは、下位レイヤへの送出の時刻をタイムスタンプに格納するように構成され、
送信ＰＤＣＰエンティティは、現在時刻とタイムスタンプとの間の差が事前に構成された時間しきい値に達するかこれを超える場合に、関連付けられたＰＤＣＰ  ＳＤＵ／ＰＤＵを破棄するように構成される
実施形態６５から８４のいずれか１つに記載のＷＴＲＵ。
８６．ＲＬＣ（ｒａｄｉｏ  ｌｉｎｋ  ｃｏｎｔｒｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成され、
ＰＤＣＰ（ｐａｃｋｅｔ  ｄａｔａ  ｃｏｎｖｅｒｇｅｎｃｅ  ｐｒｏｔｏｃｏｌ）エンティティによって判定されまたはシグナリングされる初期値を使用してタイマをセットするように構成されたＲＬＣエンティティ
を含み、ＲＬＣエンティティは、タイマの満了時にＲＬＣ  ＳＤＵ／ＰＤＵを破棄するように構成される
実施形態６５から８５のいずれか１つに記載のＷＴＲＵ。
８７．ＲＬＣエンティティは、上位レイヤからＲＬＣ  ＳＤＵを受け取る時にタイマをセットするように構成される、実施形態６５から８６のいずれか１つに記載のＷＴＲＵ。
８８．ＲＬＣ（ｒａｄｉｏ  ｌｉｎｋ  ｃｏｎｔｒｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成され、
ＰＤＣＰ（ｐａｃｋｅｔ  ｄａｔａ  ｃｏｎｖｅｒｇｅｎｃｅ  ｐｒｏｔｏｃｏｌ）エンティティが上位レイヤからパケットを受け取ること、ＰＤＣＰエンティティがバッファにパケットを格納すること、ＰＤＣＰエンティティがバッファからパケットを除去すること、またはＰＤＣＰエンティティがパケットに対してＰＤＣＰプロシージャ、ＰＤＣＰ機能、もしくはＰＤＣＰアクションを実行することのうちの少なくとも１つである基準イベントの発生の時刻を記録し、または格納するように構成されたＲＬＣエンティティ
を含み、ＲＬＣエンティティは、現在時刻と記録された時刻との間の差が事前に構成された時間しきい値に達するかこれを超える場合に、パケットに対応するＲＬＣ  ＳＤＵ／ＰＤＵを破棄するように構成される
実施形態６５から８７のいずれか１つに記載のＷＴＲＵ。
８９．ＲＬＣ（ｒａｄｉｏ  ｌｉｎｋ  ｃｏｎｔｒｏｌ）ＳＤＵ（ｓｅｒｖｉｃｅ  ｄａｔａ  ｕｎｉｔ）またはＰＤＵ（ｐｒｏｔｏｃｏｌ  ｄａｔａ  ｕｎｉｔ）を破棄するように構成され、
上位レイヤからのＲＬＣ  ＳＤＵの受取時に、タイムスタンプをＲＬＣ  ＳＤＵに関連付けるように構成されたＲＬＣエンティティ
を含み、ＲＬＣエンティティは、上位レイヤからの受取の時刻をタイムスタンプに格納するように構成され、
ＲＬＣエンティティは、現在時刻とタイムスタンプとの間の差が時間しきい値に達するかこれを超える場合に、関連付けられたＲＬＣ  ＳＤＵ／ＰＤＵを破棄するように構成され、しきい値は、ＰＤＣＰエンティティによって判定されまたはシグナリングされる
実施形態６５から８８のいずれか１つに記載のＷＴＲＵ。
９０．ＰＤＣＰ（ｐａｃｋｅｔ  ｄａｔａ  ｃｏｎｖｅｒｇｅｎｃｅ  ｐｒｏｔｏｃｏｌ）破棄をＲＬＣ（ｒａｄｉｏ  ｌｉｎｋ  ｃｏｎｔｒｏｌ）破棄と調整するように構成され、
上位レイヤからのＰＤＣＰ  ＳＤＵの受取時に、第１タイマをセットするように構成された送信ＰＤＣＰエンティティ
を含み、送信ＰＤＣＰエンティティは、ＰＤＣＰ  ＳＤＵ／ＰＤＵをＰＤＣＰエンティティ内でバッファリングするように構成され、
送信ＰＤＣＰエンティティは、ＰＤＣＰ  ＳＤＵ／ＰＤＵを、ＰＤＣＰエンティティ内で過ごされた時間の表示または第１タイマの値の表示と共に送信のために下位レイヤに送るように構成される
実施形態６５から８９のいずれか１つに記載のＷＴＲＵ。
９１．示された値を用いて第２タイマを初期化するように構成されたＲＬＣエンティティ
をさらに含み、ＲＬＣエンティティは、上位レイヤからのＰＤＣＰ  ＳＤＵ／ＰＤＵに対応するＲＬＣ  ＳＤＵの受取時に第２タイマを開始するように構成され、
ＲＬＣエンティティは、第２タイマが満了する場合にＰＤＣＰ  ＳＤＵ／ＰＤＵに対応するＲＬＣ  ＳＤＵを破棄するように構成される
実施形態６５から９０のいずれか１つに記載のＷＴＲＵ。
９２．ＰＤＣＰ（ｐａｃｋｅｔ  ｄａｔａ  ｃｏｎｖｅｒｇｅｎｃｅ  ｐｒｏｔｏｃｏｌ）破棄をＲＬＣ（ｒａｄｉｏ  ｌｉｎｋ  ｃｏｎｔｒｏｌ）破棄と調整するように構成され、
上位レイヤからのＰＤＣＰ  ＳＤＵの受取時に、タイムスタンプをＰＤＣＰ  ＳＤＵに関連付けるように構成された送信ＰＤＣＰエンティティ
を含み、送信ＰＤＣＰエンティティは、上位レイヤからの受取の時刻をタイムスタンプに格納するように構成され、
送信ＰＤＣＰエンティティは、タイムスタンプの値と共に送信するためにＰＤＣＰ  ＳＤＵに対応するＰＤＣＰ  ＰＤＵを下位レイヤに送るように構成される
実施形態６５から９１のいずれか１つに記載のＷＴＲＵ。
９３．ＰＤＣＰ  ＰＤＵに対応するＲＬＣ  ＳＤＵを受け取るように構成されたＲＬＣエンティティ
をさらに含み、ＲＬＣエンティティは、タイムスタンプ値を受け取るように構成され、
ＲＬＣエンティティは、現在時刻に対してタイムスタンプ値をチェックするように構成され、
ＲＬＣエンティティは、現在時刻とタイムスタンプ値との間の差が事前に構成された時間しきい値に達するかこれを超える場合に、関連付けられたＲＬＣ  ＳＤＵ／ＰＤＵを破棄するように構成される
実施形態６５から９２のいずれか１つに記載のＷＴＲＵ。
９４．ＰＤＣＰ（ｐａｃｋｅｔ  ｄａｔａ  ｃｏｎｖｅｒｇｅｎｃｅ  ｐｒｏｔｏｃｏｌ）破棄をＲＬＣ（ｒａｄｉｏ  ｌｉｎｋ  ｃｏｎｔｒｏｌ）破棄と調整するように構成され、
トリガイベントに基づいてパケットを破棄すべきかどうかを判定するように構成された送信ＰＤＣＰエンティティ
を含み、送信ＰＤＣＰエンティティは、パケットを破棄するように構成され、
送信ＰＤＣＰエンティティは、破棄されたパケットの表示をシグナリングするように構成される
実施形態６５から９３のいずれか１つに記載のＷＴＲＵ。
９５．破棄されたパケットの表示を受け取るように構成されたＲＬＣエンティティ
をさらに含み、ＲＬＣエンティティは、示された破棄されたパケットに対応するパケットを破棄するように構成される
実施形態６５から９４のいずれか１つに記載のＷＴＲＵ。
９６．ＰＤＣＰ（ｐａｃｋｅｔ  ｄａｔａ  ｃｏｎｖｅｒｇｅｎｃｅ  ｐｒｏｔｏｃｏｌ）パケットを破棄するように構成され、
プリミティブおよびそのめいめいのパラメータを介して情報をシグナリングするように構成されたＲＬＣ（ｒａｄｉｏ  ｌｉｎｋ  ｃｏｎｔｒｏｌ）エンティティと、
シグナリングされた情報を使用してＰＤＣＰ  ＳＤＵ（ｓｅｒｖｉｃｅ  ｄａｔａ  ｕｎｉｔ）を破棄するように構成された送信ＰＤＣＰエンティティと
を含む、実施形態６５から９５のいずれか１つに記載のＷＴＲＵ。
９７．ＲＬＣエンティティは、
破棄されるＰＤＣＰ  ＳＤＵの識別子、
任意のＲＬＣイベントによってトリガされるＳＤＵに関する破棄シグナル、
ＲＬＣ  ＳＤＵ破棄イベントによってトリガされるＳＤＵに関する破棄シグナル、
ＲＬＣ  ＡＲＱ（自動再送要求）ステータスレポートまたはＨＡＲＱ（ハイブリッド自動再送要求）肯定応答（ＡＣＫ）／否定応答（ＮＡＣＫ）フィードバックからの情報に基づいて、ピアＲＬＣエンティティへのＳＤＵの送達が成功であったことを示す成功の送達通知、または
失敗の送達通知／シグナル
のうちの少なくとも１つを含む情報をシグナリングするように構成される、実施形態６５から９６のいずれか１つに記載のＷＴＲＵ。
９８．ＲＬＣ（ｒａｄｉｏ  ｌｉｎｋ  ｃｏｎｔｒｏｌ）破棄を実行するように構成され、
プリミティブおよびそのめいめいのパラメータを介して情報をシグナリングするように構成されたＰＤＣＰ（ｐａｃｋｅｔ  ｄａｔａ  ｃｏｎｖｅｒｇｅｎｃｅ  ｐｒｏｔｏｃｏｌ）エンティティと、
シグナリングされた情報を使用してＲＬＣ  ＳＤＵ（ｓｅｒｖｉｃｅ  ｄａｔａ  ｕｎｉｔ）を破棄するように構成されたＲＬＣエンティティと
を含む、実施形態６５から９７のいずれか１つに記載のＷＴＲＵ。
９９．情報は、
破棄されるＲＬＣ  ＳＤＵの識別子、
任意のＰＤＣＰイベントによってトリガされるＳＤＵに関する破棄シグナル、
ＰＤＣＰ  ＳＤＵ破棄イベントによってトリガされるＳＤＵに関する破棄シグナル、
ＰＤＣＰ  ＳＤＵタイマベース破棄イベントによってトリガされるＳＤＵに関する破棄シグナル、または
受け取られたＰＤＣＰステータスレポート内の肯定応答（ＡＣＫ）表示によってトリガされるＳＤＵに関する破棄シグナル
のうちの少なくとも１つを含む、実施形態６５から９８のいずれか１つに記載のＷＴＲＵ。
１００．ＰＤＣＰ（ｐａｃｋｅｔ  ｄａｔａ  ｃｏｎｖｅｒｇｅｎｃｅ  ｐｒｏｔｏｃｏｌ）破棄を実行するように構成され、
ＰＤＣＰステータスレポートを受け取ることを介して肯定応答（ＡＣＫ）または否定応答（ＮＡＣＫ）の情報を受け取るように構成された送信ＰＤＣＰエンティティ
を含み、送信ＰＤＣＰエンティティは、受け取られたＰＤＣＰステータスレポート情報に基づいてＰＤＣＰ  ＳＤＵ／ＰＤＵを破棄するように構成される
実施形態６５から９９のいずれか１つに記載のＷＴＲＵ。
１０１．ＰＤＣＰ（ｐａｃｋｅｔ  ｄａｔａ  ｃｏｎｖｅｒｇｅｎｃｅ  ｐｒｏｔｏｃｏｌ）破棄を実行するように構成され、
ＰＤＣＰステータスレポートを受け取ることを介して肯定応答（ＡＣＫ）または否定応答（ＮＡＣＫ）の情報を受け取るように構成された送信ＰＤＣＰエンティティ
を含み、送信ＰＤＣＰエンティティは、ＰＤＣＰ  ＳＤＵ／ＰＤＵのＡＣＫ表示がＰＤＣＰステータスレポート内で受け取られる場合に、ＰＤＣＰ  ＳＤＵ／ＰＤＵを破棄するように構成される
実施形態６５から１００のいずれか１つに記載のＷＴＲＵ。
１０２．破棄されるＰＤＣＰ  ＳＤＵ／ＰＤＵの表示を下位レイヤに送るように構成された送信ＰＤＣＰエンティティ
をさらに含む、実施形態６５から１０１のいずれか１つに記載のＷＴＲＵ。
１０３．示されたＰＤＣＰ  ＳＤＵ／ＰＤＵに対応するＲＬＣ  ＳＤＵ／ＰＤＵを破棄するように構成された送信ＰＤＣＰエンティティ
をさらに含む、実施形態６５から１０２のいずれか１つに記載のＷＴＲＵ。
１０４．ＰＤＣＰ（ｐａｃｋｅｔ  ｄａｔａ  ｃｏｎｖｅｒｇｅｎｃｅ  ｐｒｏｔｏｃｏｌ）破棄を実行するように構成され、
タイマベース破棄トリガに基づいてＰＤＣＰ  ＳＤＵ／ＰＤＵを破棄するように構成された送信ＰＤＣＰエンティティ
を含み、送信ＰＤＣＰエンティティは、破棄されたまたは送信しもしくは再送信することのできないＳＤＵ／ＰＤＵに関する情報を送出するように構成される
実施形態６５から１０３のいずれか１つに記載のＷＴＲＵ。
１０５．ＰＤＣＰ（ｐａｃｋｅｔ  ｄａｔａ  ｃｏｎｖｅｒｇｅｎｃｅ  ｐｒｏｔｏｃｏｌ）リオーダリングまたはインシーケンス送達を実行するように構成され、
破棄されたまたは送信しもしくは再送信することのできないパケットに関する情報を受け取るように構成された受信ＰＤＣＰエンティティ
を含み、受信ＰＤＣＰエンティティは、情報内で示されたパケットを待たずに、以前にバッファリングされたパケットを上位レイヤにサブミットするように構成される
実施形態６５から１０４のいずれか１つに記載のＷＴＲＵ。
１０６．ＰＤＣＰ制御ＰＤＵは情報を搬送する、実施形態６５から１０５のいずれか１つに記載のＷＴＲＵ。
１０７．ＰＤＣＰ制御ＰＤＵは情報を搬送する、実施形態６５から１０６のいずれか１つに記載のＷＴＲＵ。
１０８．送信機でＰＤＣＰ（ｐａｃｋｅｔ  ｄａｔａ  ｃｏｎｖｅｒｇｅｎｃｅ  ｐｒｏｔｏｃｏｌ）パケット処理を実行するように構成され、
上位レイヤからパケットを受け取るように構成された送信ＰＤＣＰエンティティ
を含み、送信ＰＤＣＰエンティティは、パケットをＰＤＣＰ送信バッファに挿入する前に、パケットにＰＤＣＰシーケンス番号（ＳＮ）を割り当てるように構成される
実施形態６５から１０７のいずれか１つに記載のＷＴＲＵ。
１０９．送信機でＰＤＣＰ（ｐａｃｋｅｔ  ｄａｔａ  ｃｏｎｖｅｒｇｅｎｃｅ  ｐｒｏｔｏｃｏｌ）パケット処理を実行するように構成され、
上位レイヤからパケットを受け取るように構成された送信ＰＤＣＰエンティティ
を含み、送信ＰＤＣＰエンティティは、パケットをＰＤＣＰ送信バッファに挿入するように構成され、
送信ＰＤＣＰエンティティは、パケットをＰＤＣＰ送信バッファから除去した後に、パケットにＰＤＣＰシーケンス番号（ＳＮ）を割り当てるように構成される
実施形態６５から１０８のいずれか１つに記載のＷＴＲＵ。
【０１２３】
ソフトウェアに関連するプロセッサを使用して、ＷＴＲＵ（無線送受信ユニット）、ＵＥ（ユーザ機器）、端末、基地局、無線ネットワークコントローラ（ＲＮＣ）、またはすべてのホストコンピュータで使用されるラジオ周波数トランシーバを実施することができる。ＷＴＲＵは、カメラ、ビデオカメラモジュール、ビデオ電話機、スピーカホン、振動デバイス、スピーカ、マイクロホン、テレビジョントランシーバ、ハンズフリーヘッドセット、キーボード、Ｂｌｕｅｔｏｏｔｈ（登録商標）モジュール、ＦＭ（周波数変調）ラジオユニット、ＬＣＤ（液晶ディスプレイ）ディスプレイユニット、ＯＬＥＤ（有機発光ダイオード）ディスプレイユニット、ディジタル音楽プレイヤ、メディアプレイヤ、ビデオゲームプレイヤモジュール、インターネットブラウザ、および／またはすべてのＷＬＡＮ（無線ローカルエリアネットワーク）モジュールなどのハードウェアおよび／またはソフトウェアで実施されるモジュールに関連して使用される。
【図１】
2014131361.tif 000003
【図２】
2014131361.tif 000004
【図３】
2014131361.tif 000005
【図４】
2014131361.tif 000006
【図５】
2014131361.tif 000007
【図６】
2014131361.tif 000008
【図７】
2014131361.tif 000009
【図８】
2014131361.tif 000010
【図９】
2014131361.tif 000011
【図１０】
2014131361.tif 000012
【図１１】
2014131361.tif 000013
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
パケット・データ・コンバージェンス・プロトコル（ＰＤＣＰ）パケット又は無線リンク制御パケットの１又は複数を破棄する方法であって、
ＰＤＣＰエンティティが上位層からＰＤＣＰサービス・データ・ユニット（ＳＤＵ）を受信することと、
前記ＰＤＣＰエンティティが、上位層から前記ＰＤＣＰ  ＳＤＵを受信してＰＤＣＰ破棄タイマーを開始することと、
前記ＰＤＣＰエンティティが、ＰＤＣＰシーケンス番号を前記ＰＤＣＰ  ＳＤＵに加えることと、
前記ＰＤＣＰエンティティが、前記ＰＤＣＰ  ＳＤＵ上でヘッダー圧縮を実行することであって、前記加えられたＰＤＣＰシーケンス番号及び前記ヘッダー圧縮は、ＰＤＣＰ  プロトコル・データ・ユニット（ＰＤＵ）を形成する、ことと、
前記ＰＤＣＰエンティティが、前記ＰＤＣＰ  ＰＤＵを無線リンク制御（ＲＬＣ）エンティティに送信することと、
前記ＰＤＣＰエンティティが、前記ＰＤＣＰ破棄タイマーの有効期限が切れていること、又は受信するＰＤＣＰエンティティによって前記ＰＤＣＰ  ＳＤＵの受信を肯定するＰＤＣＰステータス・リポートを受信すること、の少なくとも１つに基づいて前記ＰＤＣＰ  ＳＤＵを破棄することと、
前記ＰＤＣＰエンティティが、前記破棄のインジケーションを前記ＲＬＣエンティティに送信することと、
を含む方法。
【請求項２】
前記ＲＬＣエンティティが、前記ＰＤＣＰエンティティからＰＤＣＰ破棄の前記インジケーションを受信すること、又はＲＬＣの再確立、の少なくとも１つに基づいて前記ＰＤＣＰ  ＰＤＵに対応するＲＬＣ  ＳＤＵを破棄することをさらに含む、請求項１に記載の方法。
【請求項３】
前記ＰＤＣＰ  ＳＤＵに関連付けられた前記ＰＤＣＰ破棄タイマーに対する値は、ＰＤＣＰ再確立手順の間に保たれる、請求項１に記載の方法。
【請求項４】
前記ＲＬＣエンティティが、ＲＬＣの前記再確立に基づいて前記ＲＬＣ  ＳＤＵに対応するＲＬＣ  ＰＤＵを破棄することをさらに含む、請求項２に記載の方法。
【請求項５】
前記ＲＬＣエンティティが、自動再送要求（ＡＲＱ）再送信の最大数に到達していることに基づいて少なくとも１つのＲＬＣ  ＳＤＵ及び少なくとも１つのＲＬＣ  ＰＤＵを破棄することをさらに含む、請求項１に記載の方法。
【請求項６】
前記ＰＤＣＰ破棄タイマーの閾値は、無線ベアラごとに無線リソース制御層により構成される、請求項１に記載の方法。
【請求項７】
パケット・データ・コンバージェンス・プロトコル（ＰＤＣＰ）パケットを破棄する方法であって、
ＰＤＣＰエンティティが上位層からＰＤＣＰサービス・データ・ユニット（ＳＤＵ）を受信することと、
前記ＰＤＣＰエンティティが、前記ＰＤＣＰ  ＳＤＵを処理してＰＤＣＰプロトコル・データ・ユニット（ＰＤＵ）を形成することと、
前記ＰＤＣＰエンティティが、前記ＰＤＣＰ  ＰＤＵを無線リンク制御（ＲＬＣ）エンティティに送信することと、
前記ＰＤＣＰエンティティが、ＰＤＣＰステータス・リポートを受信することであって、前記ＰＤＣＰステータス・リポートは、前記ＰＤＣＰ  ＳＤＵが、受信するＰＤＣＰエンティティに成功裏に配信されたことを示す、ことと、
前記ＰＤＣＰエンティティが、前記ＰＤＣＰステータス・リポートに基づいて前記ＰＤＣＰ  ＳＤＵを破棄することと、
前記ＰＤＣＰエンティティが、前記破棄のインジケーションを前記ＲＬＣエンティティに送信することと、
前記ＲＬＣエンティティが、前記ＰＤＣＰエンティティからＰＤＣＰ破棄の前記インジケーションを受信すること、又はＲＬＣの再確立、の少なくとも１つに基づいて前記ＰＤＣＰ  ＰＤＵに対応するＲＬＣ  ＳＤＵを破棄することと、
前記ＲＬＣエンティティが、ＲＬＣの前記再確立に基づいて前記ＲＬＣ  ＳＤＵに対応するＲＬＣ  ＰＤＵを破棄することと、
を含む方法。
【請求項８】
前記ＰＤＣＰステータス・リポートは、ＰＤＣＰ制御ＰＤＵに含まれる、請求項７に記載の方法。
【請求項９】
前記ＰＤＣＰエンティティが、前記ＰＤＣＰステータス・リポートに基づいて前記ＰＤＣＰ  ＰＤＵを破棄することをさらに含む、請求項７に記載の方法。
【請求項１０】
前記ＰＤＣＰエンティティが前記ＰＤＣＰ  ＳＤＵを処理して前記ＰＤＣＰ  ＰＤＵを形成することは、前記ＰＤＣＰエンティティがＰＤＣＰシーケンス番号を前記ＰＤＣＰ  ＳＤＵに加えること、及び前記ＰＤＣＰエンティティが前記ＰＤＣＰ  ＳＤＵ上でヘッダー圧縮を実行することを含む、請求項７に記載の方法。
【請求項１１】
ＰＤＣＰエンティティであって、
上位層エンティティからＰＤＣＰ  サービス・データ・ユニット（ＳＤＵ）を受信し、
前記上位層エンティティから前記ＰＤＣＰ  ＳＤＵを受信してＰＤＣＰ破棄タイマーを開始し、
ＰＤＣＰシーケンス番号を前記ＰＤＣＰ  ＳＤＵに加え、
前記ＰＤＣＰ  ＳＤＵ上でヘッダー圧縮を実行し、前記加えられたＰＤＣＰシーケンス番号及び前記ヘッダー圧縮がＰＤＣＰプロトコル・データ・ユニット（ＰＤＵ）を形成し、
無線リンク制御（ＲＬＣ）エンティティに前記ＰＤＣＰ  ＰＤＵを送信し、
前記ＰＤＣＰ破棄タイマーの有効期限が切れていること、又は受信するＰＤＣＰエンティティによって前記ＰＤＣＰ  ＳＤＵの受信を確認するＰＤＣＰ  ステータス・リポートを受信すること、に基づいて前記ＰＤＣＰ  ＳＤＵを破棄し、
前記ＲＬＣエンティティに前記破棄のインジケーションを送信する、
ように構成されたＰＤＣＰエンティティを備えた無線送受信ユニット（ＷＴＲＵ）。
【請求項１２】
前記ＲＬＣエンティティは、前記ＰＤＣＰエンティティからＰＤＣＰ破棄の前記インジケーションを受信すること、又はＲＬＣの再確立、の少なくとも１つに基づいて前記ＰＤＣＰ  ＰＤＵに対応するＲＬＣ  ＳＤＵを破棄するように構成された、請求項１１に記載のＷＴＲＵ。
【請求項１３】
前記ＰＤＣＰエンティティは、ＰＤＣＰ再確立手順の間に前記ＰＤＣＰ  ＳＤＵに関連付けられた前記ＰＤＣＰ破棄タイマーに対する値を保つようにさらに構成された、請求項１１に記載のＷＴＲＵ。
【請求項１４】
前記ＲＬＣエンティティは、ＲＬＣの前記再確立に基づいて前記ＲＬＣ  ＳＤＵに対応するＲＬＣ  ＰＤＵを破棄するようにさらに構成された、請求項１２に記載のＷＴＲＵ。
【請求項１５】
前記ＲＬＣエンティティは、自動再送要求（ＡＲＱ）再送信の最大数に到達していることに基づいて少なくとも１つのＲＬＣ  ＳＤＵ及び少なくとも１つのＲＬＣ  ＰＤＵを破棄するようにさらに構成された、請求項１１に記載のＷＴＲＵ。
【請求項１６】
前記ＰＤＣＰ破棄タイマーの閾値は、無線ベアラごとに無線リソース制御層エンティティにより構成される、請求項１１に記載のＷＴＲＵ。
【請求項１７】
ＰＤＣＰエンティティであって、
上位層エンティティからＰＤＣＰ  サービス・データ・ユニット（ＳＤＵ）を受信し、
前記ＰＤＣＰ  ＳＤＵを処理してＰＤＣＰプロトコル・データ・ユニット（ＰＤＵ）を形成し、
前記ＰＤＣＰ  ＰＤＵを無線リンク制御（ＲＬＣ）エンティティへ送信し、
ＰＤＣＰステータス・リポートを受信し、前記ＰＤＣＰステータス・リポートは、前記ＰＤＣＰ  ＳＤＵが、受信するＰＤＣＰエンティティに成功裏に配信されたことを示し、
前記ＰＤＣＰステータス・リポートに基づいて前記ＰＤＣＰ  ＳＤＵを破棄し、
前記破棄のインジケーションを前記ＲＬＣエンティティに送信する、
ように構成されたＰＤＣＰエンティティと、
ＲＬＣエンティティであって、
前記ＰＤＣＰエンティティからＰＤＣＰ破棄の前記インジケーションを受信すること、又はＲＬＣの再確立、の少なくとも１つに基づいて前記ＰＤＣＰ  ＰＤＵに対応するＲＬＣ  ＳＤＵを破棄し、
ＲＬＣの前記再確立に基づいて前記ＲＬＣ  ＳＤＵに対応するＲＬＣ  ＰＤＵを破棄する、
ように構成されたＲＬＣエンティティと、
を備える無線送受信ユニット（ＷＴＲＵ）。
【請求項１８】
前記ＰＤＣＰステータス・リポートは、ＰＤＣＰ制御ＰＤＵに含まれる、請求項１７に記載のＷＴＲＵ。
【請求項１９】
前記ＰＤＣＰエンティティは、前記ＰＤＣＰステータス・リポートに基づいて前記ＰＤＣＰ  ＰＤＵを破棄するようにさらに構成された、請求項１７に記載のＷＴＲＵ。
【請求項２０】
前記ＰＤＣＰエンティティは、ＰＤＣＰシーケンス番号を前記ＰＤＣＰ  ＳＤＵに加えること、及び前記ＰＤＣＰ  ＳＤＵ上でヘッダー圧縮を実行することによって前記ＰＤＣＵ  ＳＤＵを処理して前記ＰＤＣＰ  ＰＤＵを形成するようにさらに構成された、請求項１７に記載のＷＴＲＵ。